(57)【要約】  スケール成分が加湿エレメント析出することを抑制する加湿装置を提供する。  加湿装置１００は、内部に風路１３が形成された本体ケーシング１と、風路１３に設けられ通過する空気を加湿する加湿エレメント５と、加湿エレメント５に給水する給水手段と、風路１３内の空気を送風する送風機２と、給水手段の給水流量と送風機２の風量とを制御する制御部２０と、風路１３を通過する空気の温度に関する情報と風路１３を通過する空気の湿度に関する情報を受信する入力インターフェース１６と、入力インターフェース１６を介して取得した温度並びに湿度と送風機２の風量と給水手段の給水流量に基づき加湿エレメント５が過乾燥状態であるか否かを判断する乾燥状態判断部２１と、を備え、乾燥状態判断部２１は加湿エレメント５が過乾燥状態であると判断すると、制御部２０は加湿エレメント５の過乾燥を抑制する過乾燥抑制運転を行うよう制御する。
2020115810.tif 000002
【特許請求の範囲】
【請求項１】
吸込口及び吹出口が形成され、内部に前記吸込口と前記吹出口とが連通する風路が形成された本体ケーシングと、
前記本体ケーシングの前記風路に設けられ、通過する空気を加湿する加湿エレメントと、
前記加湿エレメントに給水する給水手段と、
前記風路内の空気を前記吸込口から前記吹出口へ送風する送風機と、
前記給水手段の給水流量と前記送風機の風量とを制御する制御部と、
前記風路を通過する空気の温度に関する情報と前記風路を通過する空気の湿度に関する情報を受信する入力インターフェースと、
前記入力インターフェースを介して取得した前記温度並びに前記湿度と前記送風機の風量と前記給水手段の給水流量とに基づき前記加湿エレメントが過乾燥状態であるか否かを判断する乾燥状態判断部と、を備え、
前記乾燥状態判断部は前記加湿エレメントが過乾燥状態であると判断すると、前記制御部は前記加湿エレメントの過乾燥を抑制する過乾燥抑制運転を行うよう制御する加湿装置。
【請求項２】
前記過乾燥抑制運転において、前記制御部は前記過乾燥抑制運転を行う直前よりも前記給水手段の給水流量を増加させる制御を行う請求項１に記載の加湿装置。
【請求項３】
前記過乾燥抑制運転において、前記制御部は前記過乾燥抑制運転を行う直前よりも前記送風機の風量を減少させる制御を行う請求項１又は２に記載の加湿装置。
【請求項４】
前記加湿エレメントに送風される空気を加熱する温調コイルを備え、
前記制御部は、前記温調コイルの加熱量を制御し、
前記過乾燥抑制運転において、前記制御部は前記過乾燥抑制運転を行う直前よりも前記温調コイルの加熱量を減少させる請求項１から３のいずれか一つに記載の加湿装置。
【請求項５】
給気吸込口と給気吹出口と排気吸込口と排気吹出口とが形成され、内部に前記給気吸込口と前記給気吹出口とが連通する給気風路と前記排気吸込口と前記排気吹出口とが連通する排気風路とが形成された本体ケーシングと、
前記給気風路に設けられ、前記給気吸込口から前記給気吹出口へ空気を送風する給気送風機と、
前記排気風路に設けられ、前記排気吸込口から前記排気吹出口へ空気を送風する排気送風機と、
前記給気風路と前記排気風路に設けられ、前記給気風路を流れる空気と前記排気風路を流れる空気との間で熱交換を行う熱交換器と、
前記給気風路において前記熱交換器よりも前記給気吹出口側に設けられ、通過する空気を加湿する加湿エレメントと、
前記加湿エレメントに給水する給水手段と、
前記給水手段の給水流量と前記給気送風機の風量とを制御する制御部と、
前記給気風路を通過する空気の温度に関する情報と前記給気風路を通過する空気の湿度に関する情報とを受信する入力インターフェースと、
前記入力インターフェースを介して取得した前記温度並びに前記湿度と前記給気送風機の風量と前記給水手段の給水流量とに基づき前記加湿エレメントが過乾燥状態であるか否かを判断する乾燥状態判断部と、を備え、
前記乾燥状態判断部は前記加湿エレメントが過乾燥状態であると判断すると、前記制御部は前記加湿エレメントの過乾燥を抑制する過乾燥抑制運転を行うよう制御する換気装置。
【請求項６】
前記排気風路に形成され、前記排気風路を流れる空気が前記熱交換器を迂回して流れるよう形成されたバイパス風路と、
前記排気風路内に設けられ、前記バイパス風路を開放する位置と前記バイパス風路を閉塞する位置に移動可能なダンパと、を備え、
前記制御部はダンパの位置を制御し、
前記過乾燥抑制運転において、前記制御部は前記バイパス風路を閉塞する位置にダンパを移動させるよう制御を行う請求項５に記載の換気装置。
【請求項７】
前記過乾燥抑制運転において、前記制御部は前記過乾燥抑制運転を行う直前よりも前記排気送風機の風量を増加させる制御を行う請求項５又は６に記載の換気装置。
【請求項８】
前記過乾燥抑制運転において、前記制御部は前記過乾燥抑制運転を行う直前よりも前記給気送風機の風量を減少させる制御を行う請求項５から７のいずれか一つに記載の換気装置。
【請求項９】
前記過乾燥抑制運転において、前記制御部は前記過乾燥抑制運転を行う直前よりも前記給水手段の給水流量を増加させる制御を行う請求項５から８のいずれか一つに記載の換気装置。
【請求項１０】
前記熱交換器よりも前記給気吹出口側の前記給気風路の内部に配置され、前記加湿エレメントに送風される空気を加熱する温調コイルを備え、
前記制御部は、前記温調コイルの加熱量を制御し、
前記過乾燥抑制運転において、前記制御部は前記過乾燥抑制運転を行う直前よりも前記温調コイルの加熱量を減少させる請求項５から９のいずれか一つに記載の換気装置。
【請求項１１】
前記温調コイルよりも前記給気吹出口側であり前記加湿エレメントよりも前記給気吸込口側の前記給気風路の内部に配置され、前記入力インターフェースと通信可能に接続された給気温度センサ及び給気湿度センサを備え、
前記乾燥状態判断部は前記給気温度センサが取得した温度並びに前記給気湿度センサが取得した湿度と前記給気送風機の風量と前記給水手段の給水流量に基づき前記加湿エレメントが過乾燥状態であるか否かを判断する請求項１０に記載の換気装置。
【請求項１２】
前記熱交換器よりも前記給気吸込口側の前記給気風路の内部に配置され、前記入力インターフェースと通信可能に接続された給気温度センサ及び給気湿度センサと、
前記熱交換器よりも前記排気吸込口側の前記排気風路の内部に配置され、前記入力インターフェースと通信可能に接続された排気温度センサ及び排気湿度センサと、を備え、
前記前記乾燥状態判断部は前記給気温度センサが取得した温度と前記給気湿度センサが取得した湿度と排気温度センサが取得した温度と前記排気湿度センサが取得した温度と前記前記給気送風機の風量と前記給水手段の給水流量とに基づき前記加湿エレメントが過乾燥状態であるか否かを判断する請求項５から１０のいずれか一つに記載の換気装置。
【発明の詳細な説明】
【技術分野】
【０００１】
本発明は、加湿装置および加湿機能を備えた換気装置に関する。
【背景技術】
【０００２】
従来、加湿運転の終了後に加湿エレメントを乾燥させる乾燥運転を行う加湿装置が提案されていた。【０００３】
例えば、特許文献１に記載の加湿装置のように、給水弁を開放し送風手段を回転させる加湿モードを開始し、加湿モードの終了時に給水弁を開放し送風手段を停止させる洗浄モードを行い、洗浄モードの終了後に給水弁を閉塞し送風手段を乾燥させる乾燥モードを行う構成を備える加湿装置が提案されていた。特許文献１に記載の加湿装置は、上記の構成を備えることによって、乾燥モードの際に水に含まれるスケール成分が加湿エレメントに析出することを抑制する効果を奏していた。
【先行技術文献】
【特許文献】
【０００４】
【特許文献１】特開２０１５−１５２２１４号公報
【発明の概要】
【発明が解決しようとする課題】
【０００５】
ところで、加湿エレメントを通過する空気の温度と湿度又は加湿エレメントに送風される空気量などの要因によって、加湿を行っている間に加湿エレメントが過度に乾燥した状態（以降、過乾燥状態と称する）になり、スケール成分が析出してしまう状況が生じる。【０００６】
本発明は上述の課題を解決するためになされたものであり、スケール成分が加湿エレメント析出することを抑制する加湿装置および加湿機能を備えた換気装置を提供する。
【課題を解決するための手段】
【０００７】
第一の発明に係る加湿装置は、吸込口及び吹出口が形成され、内部に吸込口と吹出口とが連通する風路が形成された本体ケーシングと、本体ケーシングの風路に設けられ、通過する空気を加湿する加湿エレメントと、加湿エレメントに給水する給水手段と、風路内の空気を吸込口から吹出口へ送風する送風機と、給水手段の給水流量と送風機の風量とを制御する制御部と、風路を通過する空気の温度に関する情報と、風路を通過する空気の湿度に関する情報とを受信する入力インターフェースと、入力インターフェースを介して取得した温度並びに湿度と送風機の風量と給水手段の給水流量とに基づき加湿エレメントが過乾燥状態であるか否かを判断する乾燥状態判断部と、を備え、乾燥状態判断部は加湿エレメントが過乾燥状態であると判断すると、制御部は加湿エレメントの過乾燥を抑制する過乾燥抑制運転を行うよう制御する。【０００８】
第二の発明に係る換気装置は、給気吸込口と給気吹出口と排気吸込口と排気吹出口とが形成され、内部に給気吸込口と給気吹出口とが連通する給気風路と排気吸込口と排気吹出口とが連通する排気風路とが形成された本体ケーシングと、給気風路に設けられ、給気吸込口から給気吹出口へ空気を送風する給気送風機と、排気風路に設けられ、排気吸込口から排気吹出口へ空気を送風する排気送風機と、給気風路と排気風路に設けられ、給気風路を流れる空気と排気風路を流れる空気との間で熱交換を行う熱交換器と、給気風路において熱交換器よりも給気吹出口側に設けられ、通過する空気を加湿する加湿エレメントと、加湿エレメントに給水する給水手段と、給水手段の給水流量と給気送風機の風量とを制御する制御部と、給気風路を通過する空気の温度に関する情報と給気風路を通過する空気の湿度に関する情報とを受信する入力インターフェースと、入力インターフェースを介して取得した温度並びに湿度と給気送風機の風量と給水手段の給水流量とに基づき加湿エレメントが過乾燥状態であるか否かを判断する乾燥状態判断部と、を備え、乾燥状態判断部が加湿エレメントは過乾燥状態であると判断すると、制御部は加湿エレメントの過乾燥を抑制する過乾燥抑制運転を行うよう制御する。
【発明の効果】
【０００９】
第一の発明に係る加湿装置と第二の発明に係る換気装置はいずれも乾燥状態判断部は加湿エレメントが過乾燥状態であると判断すると、制御部は加湿エレメントの過乾燥を抑制する過乾燥抑制運転を行うよう制御する構成を備えている。当該構成によって加湿エレメントが過乾燥してしまうことを抑制し、加湿エレメントにスケールが析出されることを抑制する効果を奏する。
【図面の簡単な説明】
【００１０】
【図１】実施の形態１に係る加湿装置の内部構成を示す概略図である。
【図２】実施の形態１に係る加湿装置の機能ブロック線図である。
【図３】実施の形態１に係る加湿装置の通常運転の一例を示すフローチャートである。
【図４】実施の形態１に係る加湿装置の加湿エレメントの過乾燥状態を抑制する制御のフローチャートである。
【図５】実施の形態１に係る加湿装置における過乾燥判定値ｆｄを導出するフローチャートである。
【図６】実施の形態１に係る加湿装置における過乾燥抑制運転の制御のフローチャートである。
【図７】実施の形態２に係る加湿装置における過乾燥抑制運転の制御のフローチャートである。
【図８】実施の形態３に係る加湿装置の内部構成を示す概略図である。
【図９】実施の形態３に係る加湿装置の加湿装置の機能ブロック線図である。
【図１０】実施の形態３に係る加湿装置における過乾燥判定値ｆｄを導出するフローチャートである。
【図１１】実施の形態３に係る加湿装置における過乾燥抑制運転の制御のフローチャートである。
【図１２】実施の形態４に係る換気装置のバイパス風路を閉塞した場合における内部構成を示す概略図である。
【図１３】実施の形態４に係る換気装置のバイパス風路を開放した場合における内部構成を示す概略図である。
【図１４】実施の形態４に係る換気装置の機能ブロック線図である。
【図１５】実施の形態４に係る換気装置の通常運転の制御の一例を示すフローチャートである。
【図１６】実施の形態４に係る換気装置における過乾燥判定値ｆｄを導出するフローチャートである。
【図１７】実施の形態４に係る換気装置における過乾燥抑制運転の制御のフローチャートである。
【図１８】実施の形態５に係る換気装置における過乾燥抑制運転の制御のフローチャートである。
【図１９】実施の形態６に係る換気装置における過乾燥抑制運転の制御のフローチャートである。
【図２０】実施の形態７に係る換気装置の加湿エレメントの過乾燥状態を抑制する制御のフローチャートである。
【図２１】実施の形態７に係る換気装置の第一から第四の過乾燥抑制運転を示す表の一例である。
【発明を実施するための形態】
【００１１】
実施の形態１．
図１は実施の形態１に係る加湿装置の内部構成を示す概略図である。加湿装置１００は、本体ケーシング１と、送風機２と、温度センサ３と、湿度センサ４と、加湿エレメント５と、給水配管６と、給水弁７と、制御装置８と、操作端末９とを備える。なお、給水配管６と給水弁７が本発明の給水手段に該当する。
【００１２】
本体ケーシング１は加湿装置１００の外装を形成する部材である。本体ケーシング１は送風機２と、温度センサ３と、湿度センサ４と、加湿エレメント５と、給水配管６と、給水弁７と、制御装置８とを収納している。また、本体ケーシング１の外面には、吸込口１０と、吹出口１１と、給水配管接続口１２が形成されている。吸込口１０と吹出口１１は加湿装置１００が加湿を行う空間である加湿空間とそれぞれ繋がっている。給水配管接続口１２は水道などの給水源と繋がっている。また、吸込口１０と吹出口１１は本体ケーシング１の内部に形成された風路１３により連通されている。
【００１３】
送風機２は風路１３の内部の空気を吸込口１０側から吹出口１１側へ送風する機器である。送風機２は風路１３の内部に配置されている。また、送風機２は、例えばファンと回転数を制御することができるモータとによって構成されるなど、風量を制御可能なように構成されている。実施の形態１では送風機２は風量が大きい順に、強、中、弱、の三段階の風量に制御可能とする。
【００１４】
温度センサ３は温度を検出することが可能な素子であり、湿度センサ４は湿度を検出することが可能な素子である。温度センサ３と湿度センサ４は風路１３の内部に配置されている。
【００１５】
加湿エレメント５は通過する空気を加湿する部材である。例えば、水分を含むフィルターなどが加湿エレメント５として用いられる。加湿エレメント５は風路１３の内部に配置されており、少なくとも温度センサ３と湿度センサ４よりも吹出口１１側に配置されている。
【００１６】
給水配管６は加湿エレメント５と給水配管接続口１２を連通させる配管である。加湿エレメント５は、給水配管６と給水配管接続口１２を介して水源の水が給水される。
【００１７】
給水弁７は加湿エレメント５の給水流量を調整する弁である。給水弁７は給水配管６の途中に配置されている。給水弁７は例えば弁の開度を制御することができる二方弁など、加湿エレメント５の給水流量を制御可能なように構成される。実施の形態１では弁が全開の状態を１００％、弁が全閉の状態を０％として、１００％、７５％、５０％、２５％、０％の五段階に給水流量を制御可能とする。
【００１８】
制御装置８は温度センサ３が検出した温度と湿度センサ４が検出した湿度に基づき、送風機２の風量と加湿エレメント５への給水流量の制御を行う。
【００１９】
操作端末９は少なくとも利用者が加湿装置１００の運転の開始と加湿装置１００の運転の停止に関する操作を行うための端末である。操作端末９は例えばリモートコントローラや、操作用のアプリケーションがインストールされたコンピュータ、タブレット端末又はスマートフォンなどが該当する。
【００２０】
次に実施の形態１に係る加湿装置１００の内部の空気の流れについて説明を行う。まず、送風機２が運転することによって、加湿空間の空気が吸込口１０より加湿装置１００の内部に流入する。吸込口１０より流入した空気を吸込空気１４と称する。
【００２１】
吸込空気１４は風路１３に流入する。温度センサ３は風路１３に流入した吸込空気１４の温度を検出する。また、湿度センサ４は風路１３に流入した吸込空気１４の湿度を検出する。吸込空気１４は送風機２を通過し、加湿エレメント５へ向かって流れる。
【００２２】
吸込空気１４は加湿エレメント５を通過して加湿される。ここで加湿エレメント５によって加湿された空気を加湿後空気１５と称する。加湿後空気１５は吹出口１１より流出し、再び加湿空間に吹き出される。
【００２３】
図２は実施の形態１に係る加湿装置の機能ブロック線図である。次に実施の形態１に係る加湿装置１００の機能ブロック線図を説明する。制御装置８は入力インターフェース１６と出力インターフェース１７とマイコン１８とで構成されている。
【００２４】
入力インターフェース１６は温度センサ３と湿度センサ４と操作端末９と通信可能に接続されており、温度センサ３が検出した温度に関する情報と湿度センサ４が検出した湿度に関する情報と操作端末９で操作された操作内容の情報をそれぞれ受信する。出力インターフェース１７は送風機２と給水弁７と通信可能に接続されており、送風機２の風量に関する制御信号と給水弁７の開度に関する制御信号をそれぞれ送信する。
【００２５】
マイコン１８は、記憶部１９と、制御部２０と、乾燥状態判断部２１と、タイマー部２２の機能を有している。また、マイコン１８は、ＣＰＵ（Ｃｅｎｔｒａｌ  Ｐｒｏｃｅｓｓｉｎｇ  Ｕｎｉｔ）などのプロセッサーと、ＲＡＭ（Ｒａｎｄａｍ Ａｃｃｅｓｓ  Ｍｅｍｏｒｙ）及びＲＯＭ（Ｒｅａｄ  Ｏｎｌｙ  Ｍｅｍｏｒｙ）などのメモリーと、タイマーを備えている。
【００２６】
記憶部１９は、プロセッサーにより実行されるソフトウェアのプログラムと、送風機２の風量と給水弁７の開度を制御するために用いられる数値を記憶している。記憶部１９は、メモリーにプログラム及び数値が記憶されることで実現される。
【００２７】
制御部２０は、送風機２の風量に関する制御信号と給水弁７の開度に関する制御信号を生成し、送風機２と給水弁７を制御する。乾燥状態判断部２１は、加湿エレメント５が乾燥状態か否かを判断する。制御部２０と乾燥状態判断部２１は、プロセッサーがメモリーに記憶にされたソフトウェアのプログラムに従って処理を実行することにより実現される。
【００２８】
タイマー部２２は時間の計測を行う。タイマー部２２はタイマーによって実現される。
【００２９】
次に実施の形態１に係る加湿装置の通常運転の一例について説明する。なお、本発明における通常運転とは次に説明する一例に限らず、後述する過乾燥抑制運転を除く運転のことを指す。図３は実施の形態１に係る加湿装置の通常運転の一例を示すフローチャートである。図３のフローチャートは利用者が操作端末９より加湿装置１００の運転を開始させる操作を行った際に開始する。
【００３０】
ステップＳ１では、タイマー部２２は加湿運転時間ｔａをリセットする。
【００３１】
ステップＳ１の処理の終了後、ステップＳ２へ進む。ステップＳ２では、タイマー部２２は加湿運転時間ｔａの計測を開始する。
【００３２】
ステップＳ２の処理の終了後、ステップＳ３へ進む。ステップＳ３では、制御部２０は加湿装置１００に加湿運転を行わせる制御を行う。加湿運転とは、加湿空間を予め定められた湿度に調整する運転である。加湿運転では、制御部２０は給水弁７を開き加湿エレメント５に水を給水し、送風機２を運転し加湿エレメント５に空気を送風するように制御を行う。実施の形態１における加湿運転では、風量は中、給水流量は７５％に制御されるとする。
【００３３】
ステップＳ３の処理の終了後、ステップＳ４へ進む。ステップＳ４では、制御部２０は利用者が操作端末９より加湿装置１００の運転を停止させる操作を行ったか否かを判断する。
【００３４】
利用者が操作端末９より加湿装置１００の運転を停止させる操作を行ったと制御部２０が判断した場合（ステップＳ４、ＹＥＳ）、ステップＳ５へ進む。ステップＳ５では、予め定められた時間の間、制御部２０は加湿装置１００に乾燥運転を行わせる制御を行う。乾燥運転とは、加湿運転で湿潤した加湿エレメント５を乾燥させる運転である。乾燥運転では、制御部２０は給水弁７を閉じて加湿エレメント５への水の給水を止め、送風機２を運転し加湿エレメント５に空気を送風するように制御を行い、加湿エレメント５を乾燥させる。実施の形態１における乾燥運転では、風量は強、給水流量は０％に制御されるとする。
【００３５】
ステップＳ５の処理の終了後、ステップＳ６へ進む。ステップＳ６では制御部２０は加湿装置１００の運転を停止させる。運転の停止では、制御部２０は給水弁７を閉じて加湿エレメント５への水の給水を止め送風機２を停止させよう制御を行う。ステップＳ６の処理の終了後、加湿装置１００の通常運転を終了する。
【００３６】
利用者が操作端末９より加湿装置１００の運転を停止させる操作を行っていないと制御部２０が判断した場合（ステップＳ４、ＮＯ）、ステップＳ７へ進む。ステップＳ７ではタイマー部２２は加湿運転時間ｔａが予め定められた乾燥運転開始時間ｔｓよりも大きいか否か判断する。
【００３７】
タイマー部２２は加湿運転時間ｔａが乾燥運転開始時間ｔｓよりも大きいと判断した場合（ステップＳ７、ＹＥＳ）、ステップＳ８へ進む。ステップＳ８では制御部２０は、予め定められた時間の間、制御部２０は加湿装置１００に乾燥運転を行わせる制御を行う。なお、ステップＳ８における乾燥運転はステップＳ５で説明した乾燥運転と同様であり、説明を割愛する。ステップＳ８の終了後、ステップＳ１へ進み、タイマー部２２は加湿運転時間ｔａのリセットを行う。
【００３８】
タイマー部２２は加湿運転時間ｔａが乾燥運転開始時間ｔｓ以下であると判断した場合（ステップＳ７、ＮＯ）、ステップＳ４へ進み、再び制御部２０は利用者が操作端末９より加湿装置１００の運転を停止させる操作を行ったか否かを判断する。
【００３９】
図４は、実施の形態１に係る加湿装置の加湿エレメントの過乾燥状態を抑制する制御のフローチャートである。図４のフローチャートの制御は、利用者が操作端末９より加湿装置１００の運転を開始させる操作を行った際に開始する。つまり、図３のフローチャートの制御と図４のフローチャートの制御は同時に行われる。
【００４０】
ステップＳ１１では、乾燥状態判断部２１は過乾燥判定値ｆｄを導出する。過乾燥判定値ｆｄとは加湿エレメント５が過乾燥状態であるか否かを判断するために用いられる値である。過乾燥判定値ｆｄは加湿エレメント５を通過する直前の空気の乾球温度と湿球温度の差ΔＴと、加湿エレメント５を通過する風量Ｑａと、加湿エレメント５に供給される給水流量Ｑｗに基づいて導出される。過乾燥判定値ｆｄの導出の詳細については後述する。
【００４１】
ステップＳ１１の処理の終了後、ステップＳ１２へ進む。ステップＳ１２では、乾燥状態判断部２１はステップＳ１１で導出した過乾燥判定値ｆｄが過乾燥判定閾値εより大きいか否か判断する。過乾燥判定閾値εは予め定められた定数であり、記憶部１９に記憶されている。
【００４２】
ステップＳ１２において過乾燥判定値ｆｄが過乾燥判定閾値εより大きいと乾燥状態判断部２１が判断した場合（ステップＳ１２、Ｙｅｓ）、ステップＳ１３へ進む。ステップＳ１３では、制御部２０は図３のフローチャートの通常運転の制御を停止させる。つまり、加湿装置１００が加湿運転又は乾燥運転を行っていた場合はそれらの運転は停止される。
【００４３】
ステップＳ１３の処理の終了後、ステップＳ１４へ進む。ステップＳ１４では、制御部２０は加湿装置１００に過乾燥抑制運転を行わせる制御を行う。過乾燥抑制運転とは、加湿エレメント５の過乾燥状態を抑制するために行われる運転である。過乾燥抑制運転の詳細については後述する。
【００４４】
ステップＳ１４の処理の終了後、ステップＳ１５へ進む。ステップＳ１５では、ステップＳ１１と同様に乾燥状態判断部２１は過乾燥判定値ｆｄを導出する。
【００４５】
ステップＳ１５の処理の終了後、ステップＳ１６へ進む。ステップＳ１６では、乾燥状態判断部２１はステップＳ１５で導出した過乾燥判定値ｆｄが過乾燥判定閾値εより大きいか否か判断する。
【００４６】
ステップＳ１６において過乾燥判定値ｆｄが過乾燥判定閾値εより大きいと乾燥状態判断部２１が判断した場合（ステップＳ１６、Ｙｅｓ）、ステップＳ１４へ進み、再び過乾燥抑制運転を行う。
【００４７】
ステップＳ１６において過乾燥判定値ｆｄが過乾燥判定閾値ε以下と乾燥状態判断部２１が判断した場合（ステップＳ１６、Ｎｏ）、ステップＳ１７へ進む。ステップＳ１７では、制御部２０は加湿装置１００に通常運転を再開させる制御を行う。なお、ステップＳ１７において、ステップＳ１３で停止させた際に加湿装置１００が行っていた運転を行わせるよう制御を行う。例えば、ステップＳ１３で加湿運転を停止させた場合には、ステップＳ１７で制御部２０は加湿装置１００に加湿運転を行わせる制御を行う。
【００４８】
ステップＳ１７の処理の終了後、又はステップＳ１２において過乾燥判定値ｆｄが過乾燥判定閾値ε以下と乾燥状態判断部２１が判断した場合（ステップＳ１２、Ｎｏ）、ステップＳ１８へ進む。ステップＳ１８では乾燥状態判断部２１は制御部２０が加湿装置１００の運転を停止させたか判断する。
【００４９】
ステップＳ１８において制御部２０が加湿装置１００の運転を停止させたと乾燥状態判断部２１が判断した場合（ステップＳ１７、Ｙｅｓ）、過乾燥状態を抑制する制御を終了させる。ステップＳ１８において制御部２０が加湿装置１００の運転を停止させていないと乾燥状態判断部２１が判断した場合（ステップＳ１７、Ｎｏ）、ステップＳ１１へ進み、乾燥状態判断部２１は過乾燥判定値ｆｄを導出する。
【００５０】
図５は実施の形態１に係る加湿装置における過乾燥判定値ｆｄを導出するフローチャートである。図５のフローチャートは、図４のフローチャートのステップＳ１１又はステップＳ１５の処理が行われる際に開始する。ここで乾燥状態判断部２１が行う過乾燥判定値ｆｄの導出方法について詳細な説明を行う。
【００５１】
ステップＳ２１では、乾燥状態判断部２１は温度センサ３が検出した温度を吸込空気１４の乾球温度Ｔｄ１として入力インターフェース１６を介して取得する。
【００５２】
ステップＳ２２の処理の終了後、ステップＳ２２へ進む。ステップＳ２２では、乾燥状態判断部２１は湿度センサ４が検出した湿度を吸込空気１４の相対湿度φ１として入力インターフェース１６を介して取得する。
【００５３】
ステップＳ２２の処理の終了後、ステップＳ２３へ進む。ステップＳ２３では、乾燥状態判断部２１は加湿エレメント５を通過する風量Ｑａを導出する。風量Ｑａは制御部２０で制御されているため、風量Ｑａの導出の方法として制御部２０より送信する風量Ｑａに関する制御値を参照して導出する方法がある。一例として、実施の形態１では、風量が強、中、弱のそれぞれの場合における風量Ｑａの値を記憶部１９が記憶しており、乾燥状態判断部２１は制御部２０で制御された風量に関する制御値を参照して風量Ｑａの値を記憶部１９から取得する。
【００５４】
ステップＳ２３の処理の終了後、ステップＳ２４へ進む。ステップＳ２４では、乾燥状態判断部２１は加湿エレメント５に供給される給水流量Ｑｗを導出する。給水流量Ｑｗは制御部２０で制御しているため、給水流量Ｑｗの導出の方法として制御部２０より送信する給水流量Ｑｗに関する制御値を参照して導出する方法がある。一例として、実施の形態１では、給水流量が１００％、７５％、５０％、２５％、０％のそれぞれの場合における給水流量Ｑｗの値を記憶部１９が記憶しており、乾燥状態判断部２１は制御部２０で制御された給水流量に関する制御値を参照して給水流量Ｑｗの値を記憶部１９から取得する。
【００５５】
ステップＳ２４の処理の終了後、ステップＳ２５へ進む。ステップＳ２５では、乾燥状態判断部２１はステップＳ２１で取得した乾球温度Ｔｄ１とステップＳ２２で取得した相対温度φ１に基づき吸込空気１４の湿球温度Ｔｗ１を導出する。湿球温度Ｔｗ１の導出の方法としては、乾球温度Ｔｄ１および相対湿度φ１を行又は列とし湿球温度Ｔｗ１を要素とする湿り空気線図における相関関係を模擬した表を記憶部１９が記憶しており、ステップＳ２１で取得した乾球温度Ｔｄ１とステップＳ２２で取得した相対温度φ１を表と参照して湿球温度Ｔｗ１を導出する方法がある。また、湿り空気線図における乾球温度Ｔｄ１および相対湿度φ１と湿球温度Ｔｗとの相関関係の近似式を記憶部１９が記憶しており、ステップＳ２１で取得した乾球温度Ｔｄ１とステップＳ２２で取得した相対温度φ１を式に代入して湿球温度Ｔｗ１を算出する方法もある。
【００５６】
ステップＳ２５の処理の終了後、ステップＳ２６へ進む。ステップＳ２６では、乾燥状態判断部２１はステップＳ２１で取得した乾球温度Ｔｄ１よりステップＳ２５で導出した湿球温度Ｔｗ１を減算し、吸込空気１４の乾湿球温度差ΔＴ１を導出する。
【００５７】
ステップＳ２６の処理の終了後、ステップＳ２７へ進む。ステップＳ２７では、乾燥状態判断部２１はステップＳ２３で導出した風量Ｑａと、ステップＳ２４で導出した給水流量Ｑｗと、ステップＳ２６で導出した吸込空気１４の乾湿球温度差ΔＴに基づき過乾燥判定値ｆｄを導出する。過乾燥判定値ｆｄの導出の方法としては数１の式を記憶部１９が記憶しており、それぞれの数値を式に代入して過乾燥判定値ｆｄを算出する方法がある。
【００５８】
【数１】
2020115810.tif 000003
【００５９】
数１のｆ（ΔＴ，Ｑａ，Ｑｗ）は、乾湿球温度差ΔＴと風量Ｑａと給水流量Ｑｗの３つの変数によって決まる関数である。関数ｆは実験的に導出される。具体的には加湿装置１００の設計者は、乾湿球温度差ΔＴ、風量Ｑａ、給水流量Ｑｗをそれぞれ変化させて加湿エレメント５にスケール成分が析出される条件か否かを実験的に求める。実験で求めた結果に基づき、設計者は加湿エレメント５よりスケール成分が析出される条件では過乾燥判定値ｆｄが過乾燥判定閾値εを超え（ｆｄ＞ε）、加湿エレメント５よりスケール成分が析出されない条件では過乾燥判定値ｆｄが過乾燥判定閾値ε以下（ｆｄ≦ε）になるような関数ｆを導出する。
【００６０】
また、関数ｆは乾湿球温度差ΔＴが大きくなれば過乾燥判定値ｆｄが大きくなる関係を満たす。これは、乾湿球温度差ΔＴが大きいほど乾燥した空気が加湿エレメント５に流れるため、加湿エレメント５が乾燥しスケール成分が析出され易い条件になるからである。
【００６１】
また、関数ｆは風量Ｑａが大きくなれば過乾燥判定値ｆｄが大きくなる関係を満たす。これは、風量Ｑａが大きいほど加湿エレメント５を通過する空気の量が増え、加湿エレメント５が乾燥しスケール成分が析出され易い条件になるからである。
【００６２】
また、関数ｆは給水流量Ｑｗが大きくなれば過乾燥判定値ｆｄが小さくなる関係を満たす。これは、給水流量Ｑｗが大きいほど加湿エレメントに供給される水の量が増え、加湿エレメント５が湿潤しスケール成分が析出され難い条件になるからである。
【００６３】
ステップＳ２７の処理の終了後、乾燥状態判断部２１は過乾燥判定値ｆｄの導出を終了する。
【００６４】
図６は、実施の形態１に係る加湿装置における過乾燥抑制運転の制御のフローチャートである。図６のフローチャートは、図４のフローチャートのステップＳ１４の処理が行われる際に開始する。次に過乾燥抑制運転について説明する。
【００６５】
ステップＳ１０１では、制御部２０は加湿エレメント５への給水流量を増加させるよう制御を行う。具体的には、制御部２０は給水弁７の開度を大きくする制御信号を給水弁７に送信する。制御信号を受信した給水弁７は、過乾燥抑制運転を行う直前よりも開度を大きくし、過乾燥抑制運転を行う直前よりも加湿エレメント５への給水流量を増加する。なお、ステップＳ１０１において制御部２０は、使用者又は製造者が予め選択した給水流量に設定する制御でも良いし、予め定められた割合又は段階だけ給水流量を増加させる制御でも良いし、乾燥状態判断部２１が過乾燥判定値ｆｄの導出時に乾燥状態で無くなる給水流量の算出を行い算出された給水流量に設定する制御でも良い。一例として、実施の形態１では、制御部２０は給水流量が１００％になるよう制御を行う。
【００６６】
ステップＳ１０１の処理の終了後、ステップＳ１０２へ進む。ステップＳ１０２では、タイマー部２２は経過時間ｔをリセットする。
【００６７】
ステップＳ１０２の処理の終了後、ステップＳ１０３へ進む。ステップＳ１０３では、タイマー部２２は経過時間ｔの計測を開始する。
【００６８】
ステップＳ１０３の処理の終了後、ステップＳ１０４へ進む。ステップＳ１０４では、タイマー部２２は経過時間ｔが過乾燥抑制運転を維持する時間Ｔｓを経過したか否かを判定する。Ｔｓは記憶部２８に予め記憶されており、例えば１０分など予め定められた値である。
【００６９】
経過時間ｔがＴｓを経過していないとタイマー部２２が判定した場合（ステップＳ１０４、Ｎｏ）には、タイマー部２２は再度ステップＳ１０４の判定を行う。経過時間ｔがＴｓを経過したとタイマー部２２が判定した場合（ステップＳ１０４、Ｙｅｓ）には、給水流量の制御による過乾燥抑制を終了する。
【００７０】
以上のように実施の形態１に係る加湿装置１００は、給水手段の給水流量と送風機の風量とを制御する制御部２０と、入力インターフェース１６を介して取得した温度並びに湿度と送風機２の風量と給水手段の給水流量とに基づき加湿エレメント５が過乾燥状態であるか否かを判断する乾燥状態判断部２１と、を備え、乾燥状態判断部２１は加湿エレメント５が過乾燥状態であると判断すると、制御部は加湿エレメントの過乾燥状態を抑制する過乾燥抑制運転を行う構成である。この構成によって、加湿エレメント５が過乾燥状態になることを抑制し、加湿エレメント５にスケールが析出されることを抑制する効果を奏する。また、スケールが析出され難くなるため、スケールによる異臭の発生や雑菌の発生を抑制する効果も奏する。
【００７１】
さらに、付加的構成として前述の実施の形態１に係る加湿装置１００の構成に、制御部２０は過乾燥抑制運転を開始してから予め定められた時間Ｔｓを経過するまで過乾燥抑制運転を維持するように制御を行う構成を付加しても良い。この構成によって、加湿装置１００が通常運転と過乾燥抑制運転を短時間で切り替わることを防止でき、制御の安定性を高めることができる。
【００７２】
さらに、付加的構成として前述の実施の形態１に係る加湿装置１００の構成に、過乾燥抑制運転において、制御部２０は過乾燥抑制運転を行う直前よりも給水手段の給水流量を増加させる制御を行う構成を付加しても良い。この構成によって、過乾燥抑制運転では給水流量が増加するため加湿エレメント５をスケールが析出し難い条件にすることができる。
【００７３】
さらに、付加的構成として前述の実施の形態１に係る加湿装置１００の構成に、乾燥状態判断部２１は給水手段が加湿エレメント５に給水し送風機２が風路１３内の空気を送風する加湿運転時に加湿エレメント５が過乾燥状態あるか否かを判断する構成を付加しても良い。この構成によって、加湿運転時に加湿エレメントが過乾燥状態になりスケールが析出することを抑制することができる。
【００７４】
さらに、付加的構成として前述の実施の形態１に係る加湿装置１００の構成に、乾燥状態判断部２１は給水手段が加湿エレメント５に給水を行わず送風機２が風路１３内の空気を送風する乾燥運転時に加湿エレメント５が過乾燥状態あるか否かを判断する構成を付加しても良い。この構成によって、乾燥運転時に加湿エレメントが過乾燥状態になりスケールが析出することを抑制することができる。
【００７５】
なお、実施の形態１に係る加湿装置１００では本体ケーシング１の内部に温度センサ３と湿度センサ４が配置されているが、これに限らない。例えば、入力インターフェース１６が加湿空間の温度又は湿度を測定する温度センサと湿度センサと通信可能に接続され、入力インターフェースより加湿空間の温度又は湿度を取得してもよい。この場合、入力インターフェース１６より取得した温度又は湿度が風路を通過する空気の温度又は湿度に相当する。
【００７６】
また、実施の形態１に係る加湿装置１００では過乾燥判定値ｆｄの導出の方法として数１の式を記憶部１９が記憶しており、それぞれの数値を式に代入して過乾燥判定値ｆｄを算出しているがこれに限らない。例えば、各々の乾湿球温度差ΔＴにおいて風量Ｑａおよび給水量Ｑｗを行又は列とし過乾燥判定値ｆｄを要素とする数１の相関関係を模擬した表を記憶部１９が記憶しており、取得した風量Ｑａと給水流量Ｑｗを表と参照して過乾燥判定値ｆｄを導出しても良い。
【００７７】
実施の形態２．
次に実施の形態２の加湿装置１００について説明する。実施の形態２の加湿装置１００は、実施の形態１の加湿装置１００と比較して、過乾燥抑制運転の制御が異なる。なお、過乾燥抑制運転の制御を除く実施の形態２の加湿装置１００の構成及び制御は実施の形態１の加湿装置１００の構成及び制御と同様であり、説明を割愛する。
【００７８】
図７は実施の形態２に係る加湿装置における過乾燥抑制運転の制御のフローチャートである。なお、図７の過乾燥抑制運転の制御のステップＳ２０２、Ｓ２０３、Ｓ２０４は、実施の形態１における過乾燥抑制運転の制御のステップＳ１０２、Ｓ１０３、Ｓ１０４と同様の処理を行うため、説明を割愛する。
【００７９】
ステップＳ２０１では、制御部２０は加湿エレメント５を通過する風量を減少させる。具体的には、制御部２０は送風機２の風量を減少させる制御信号を送風機２に送信する。制御信号を受信した送風機２は過乾燥抑制運転を行う直前よりも風量を減少させ、過乾燥抑制運転を行う直前よりも加湿エレメント５を通過する風量を減少させる。なお、ステップＳ２０１において制御部２０は、使用者又は製造者が予め選択した風量に設定する制御でも良いし、予め定められた割合又は段階だけ風量を減少させる制御でも良いし、乾燥状態判断部２１が過乾燥判定値ｆｄの導出時に過乾燥状態で無くなる風量の算出を行い算出された風量に設定する制御でも良い。一例として、実施の形態１では、制御部２０は送風機２の風量が弱になるよう制御を行う。
【００８０】
以上のように実施の形態２の加湿装置１００は、付加的構成として前述の実施の形態１に係る加湿装置１００の構成に、過乾燥抑制運転において制御部２０は過乾燥抑制運転を行う直前よりも送風機２の風量を減少させる制御を行う構成を付加している。この構成によって、過乾燥抑制運転では風量が減少するため加湿エレメント５をスケールが析出し難い条件にすることができる。
【００８１】
また、実施の形態２で示した付加的構成は、実施の形態１で示した他の付加的構成と共に実施の形態１に係る加湿装置１００の構成に付加しても構わない。特に実施の形態１で示した図６の給水流量を増加させる過乾燥抑制運転と、実施の形態２で示した図７の風量の減少による過乾燥抑制運転を同時に行っても構わない。
【００８２】
実施の形態３．
次に実施の形態３の加湿装置１０１について説明する。実施の形態３の加湿装置１０１は、実施の形態１の加湿装置１００と比較して、加湿装置１０１が温調コイル２３を備える点と、過乾燥判定値ｆｄの導出方法と、過乾燥抑制運転の制御が異なる。なお、これらを除く実施の形態３の加湿装置１０１の構成及び制御は実施の形態１の加湿装置１００の構成及び制御と同様であり、説明を割愛する。
【００８３】
図８は実施の形態３に係る加湿装置の内部構成を示す概略図である。図９は実施の形態３に係る加湿装置の加湿装置の機能ブロック線図である。次に実施の形態３の加湿装置１０１について説明する。
【００８４】
実施の形態３の加湿装置１０１は、通過する空気を加熱する温調コイル２３を備える。温調コイル２３は風路１３の内部に配置されており、温度センサ３と湿度センサ４よりも吹出口１１側に配置され、加湿エレメント５より吸込口１０側に配置されている。また、温調コイル２３は、例えば冷凍サイクルの凝縮器など、加熱量を制御可能なように構成されている。制御部２０は温調コイル２３の加熱量に関する制御信号を生成し、温調コイルの制御を行う。実施の形態３では温調コイル２３が加熱できる最大の加熱量を１００％、温調コイル２３が加熱していない状態の加熱量を０％として、１００％、７５％、５０％、２５％、０％の五段階に加熱量を制御可能とする。また、実施の形態２の加湿運転では温調コイルの加熱量は１００％から２５％のいずれかの値に制御され、実施の形態２の乾燥運転では温調コイルの加熱量は２５％に制御されるとする。
【００８５】
次に実施の形態３に係る加湿装置１０１の内部の空気の流れについて説明を行う。送風機２が運転することによって、吸込空気１４が吸込口１０より風路１３に流入する。温度センサ３は風路１３に流入した吸込空気１４の温度を検出する。また、湿度センサ４は風路１３に流入した吸込空気１４の湿度を検出する。吸込空気１４は送風機２を通過し、温調コイル２３へ向かう。
【００８６】
吸込空気１４は温調コイル２３を通過して加熱される。ここで温調コイル２３によって加熱された空気を加湿前空気２４と称する。加湿前空気２４は加湿エレメント５を通過して加湿される。加湿エレメント５によって加湿された加湿後空気１５は吹出口１１より流出し、再び加湿空間に吹き出される。
【００８７】
図１０は実施の形態３に係る加湿装置における過乾燥判定値ｆｄを導出するフローチャートである。図１０のフローチャートは、実施の形態３において図４のフローチャートのステップＳ１１又はステップＳ１４の処理が行われる際に開始する。ここで実施の形態３に係る乾燥状態判断部２１が行う過乾燥判定値ｆｄの導出方法について説明を行う。なお、図３のステップＳ３１、Ｓ３２、Ｓ３３、Ｓ３４は、実施の形態１の図５のステップＳ２１、Ｓ２２、Ｓ２３、Ｓ２４と同様の処理を行うため、説明を割愛する。
【００８８】
ステップＳ３４の処理の終了後、ステップＳ３５へ進む。ステップＳ３５では乾燥状態判断部２１はステップＳ３１で取得した乾球温度Ｔｄ１とステップＳ３２で取得した相対温度φ１に基づき吸込空気１４のエンタルピーＨ１を導出する。エンタルピーＨ１の導出の方法は、乾球温度および相対湿度を行又は列としエンタルピーを要素とする湿り空気線図における相関関係を模擬した表を記憶部１９が記憶しており、ステップＳ３１で取得した乾球温度Ｔｄ１とステップＳ３２で取得した相対温度φ１を表と参照してエンタルピーＨ１を導出する方法がある。また、湿り空気線図における相関関係の近似式を記憶部１９が記憶しており、ステップＳ３１で取得した乾球温度Ｔｄ１とステップＳ３２で取得した相対温度φ１を式に代入してエンタルピーＨ１を算出する方法もある。
【００８９】
ステップＳ３５の処理の終了後、ステップＳ３６へ進む。ステップＳ３６では乾燥状態判断部２１は吸込空気１４の絶対湿度ｘ１を導出する。絶対湿度ｘ１は、エンタルピーＨ１の導出方法と同様に、乾球温度および相対湿度を行又は列とし絶対湿度を要素とする湿り空気線図における相関関係を模擬した表又は相関関係の近似式を記憶部１９が記憶しており、ステップＳ３１で取得した乾球温度Ｔｄ１とステップＳ３２で取得した相対湿度φ１を表と参照又は近似式に代入して絶対湿度ｘ１を導出する方法がある。
【００９０】
ステップＳ３６の処理の終了後、ステップＳ３７へ進む。ステップＳ３７では加湿前空気２４のエンタルピーＨ２を導出する。具体的には数２に示す式によって導出する。ここで数２において使用している記号を定義する。Ｑｈは温調コイル２３の加熱量（単位はＷ）である。温調コイルの加熱量は制御部２０で制御されているため、加熱量Ｑｈの制御値又は加熱量Ｑｈに関する制御値を参照して決まる。一例として、実施の形態１では、加熱量が１００％、７５％、５０％、２５％、０％のそれぞれの場合における加熱量Ｑｈを記憶部１９が記憶しており、乾燥状態判断部２１は制御部２０で制御された加熱量における加熱量Ｑｈを記憶部１９から取得する。ρａは空気の密度（単位はｋｇ／ｍ３）である。ρａは定数であり、記憶部１９にρａの値は記憶されている。Ｑａは風量（単位はｍ３／ｓ）である。ＱａはステップＳ３３で導出した値を使用する。
【００９１】
【数２】
2020115810.tif 000004
【００９２】
ステップＳ３７の処理の終了後、ステップＳ３８へ進む。ステップＳ３８では、乾燥状態判断部２１は加湿前空気２４の乾湿球温度差ΔＴを導出する。温調コイル２３では絶対湿度は変動しないため、加湿前空気２４の絶対湿度は吸込空気１４の絶対湿度ｘ１と同値である。従って、加湿前空気２４の乾球温度Ｔｄ２と、加湿前空気２４の湿球温度Ｔｗ２は、それぞれエンタルピーおよび絶対湿度を行又は列とし乾球温度又は湿球温度を要素とする湿り空気線図における相関関係を模擬した表又は相関関係の近似式に基づいて導出することができる。導出した加湿前空気２４の乾球温度Ｔｄ２より加湿前空気２４の乾球温度Ｔｗ２を減算することで加湿前空気２４の乾湿球温度差ΔＴを導出することができる。
【００９３】
ステップＳ３８の処理の終了後、ステップＳ３９へ進む。ステップＳ３９では、乾燥状態判断部２１はステップＳ３３で導出した風量Ｑａと、ステップＳ３４で導出した給水流量Ｑｗと、ステップＳ３８で導出した加湿前空気２４の乾湿球温度差ΔＴより過乾燥判定値ｆｄを導出する。過乾燥判定値ｆｄの導出については、実施の形態１のステップＳ２７と同様のため、説明を割愛する。
【００９４】
ステップＳ３９の処理の終了後、乾燥状態判断部２１は過乾燥判定値ｆｄの導出を終了する。
【００９５】
図１１は実施の形態３に係る加湿装置における過乾燥抑制運転の制御のフローチャートである。次に実施の形態３の加湿装置１０１の過乾燥抑制運転の制御について説明する。なお、加熱量の制御による過乾燥抑制運転の制御のステップＳ３０２、Ｓ３０３、Ｓ３０４は、実施の形態１の過乾燥抑制運転の制御のステップＳ１０２、Ｓ１０３、Ｓ１０４と同様の処理を行うため、説明を割愛する。
【００９６】
ステップＳ３０１では、制御部２０は温調コイル２３の加熱量を減少させる。具体的には、制御部２０は温調コイル２３の加熱量を減少させる制御信号を温調コイル２３に送信することで、温調コイル２３が加熱量を減少させる。なお、ステップＳ３０１において制御部２０は、使用者又は製造者が予め選択した加熱量に設定する制御でも良いし、予め定められた割合又は段階だけ加熱量を減少させる制御でも良いし、乾燥状態判断部２１が過乾燥判定値ｆｄの導出時に乾燥状態で無くなる加熱量の算出を行い算出された加熱量に設定する制御でも良い。一例として、実施の形態１では、制御部２０は加熱量が０％になるよう制御を行う。
【００９７】
以上のように実施の形態３の加湿装置１０１は、付加的構成として前述の実施の形態１に係る加湿装置１００の構成に、加湿エレメント５に送風される空気を加熱する温調コイル２３を備え、制御部２０は温調コイル３８の加熱量を制御し、過乾燥抑制運転において、制御部２０は過乾燥抑制運転を行う直前よりも温調コイル２３の加熱量を減少させる構成を付加している。この構成によって、過乾燥抑制運転では温調コイル２３の加熱量が減少するため、乾湿球温度差ΔＴが小さくなり加湿エレメント５をスケールが析出し難い条件にすることができる。
【００９８】
また、実施の形態３で示した付加的構成は、実施の形態１又は２で示した他の付加的構成と共に実施の形態１に係る加湿装置１００の構成に付加しても構わない。特に実施の形態１で示した図６の給水流量を増加させる過乾燥抑制運転と実施の形態２で示した図７の風量の減少による過乾燥抑制運転との一方又は両方を実施の形態３で示した図１１の温調コイルの加熱量の減少による過乾燥抑制運転と同時に行っても構わない。
【００９９】
なお、実施の形態３の加湿装置１０１は、吸込空気１４の温度と湿度より加湿前空気２４の乾湿球温度差ΔＴを導出しているがこれに限らない。例えば、温度センサと湿度センサを温調コイル２３よりも吹出口１１側であり加湿エレメント５よりも吸込口１０側に配置して、加湿前空気２４の温度と湿度を直接測定して乾湿球温度差ΔＴを導出しても構わない。
【０１００】
また、加湿前空気２４の乾湿球温度差ΔＴを導出せず、吸込空気１４の乾湿球温度差ΔＴを用いて過乾燥判定値ｆｄを導出しても良い。この場合、図４のステップＳ１２及びＳ１５において過乾燥判定値ｆｄに予め定められたマージンαを加えた値が過乾燥判定閾値εより大きいか否か判断する（ｆｄ＋α＞ε）。マージンαを加える理由は、加湿前空気２４は吸込空気１４が温調コイル２３によって加熱された空気であるため、加湿前空気２４の乾湿球温度差ΔＴは吸込空気１４の乾湿球温度差ΔＴよりも大きくなり、加湿前空気２４における過乾燥判定値ｆｄは吸込空気１４における過乾燥判定値ｆｄよりも大きいためである。マージンαは実験的に求めた定数でも良いし、温調コイル２３の加熱量に比例した関数でも良い。
【０１０１】
実施の形態４．
図１２は実施の形態４に係る換気装置のバイパス風路を閉塞した場合における内部構成を示す概略図である。図１３は実施の形態４に係る換気装置のバイパス風路を開放した場合における内部構成を示す概略図である。換気装置２００は、本体ケーシング３０と、熱交換器３１と、給気送風機３２と、排気送風機３３と、給気温度センサ３４と、給気湿度センサ３５と、排気温度センサ３６と、排気湿度センサ３７と、温調コイル３８と、加湿エレメント３９と、給水配管４０と、給水弁４１と、ダンパ４２と、制御装置４３と、操作端末４４と、を備える。
【０１０２】
本体ケーシング３０は換気装置２００の外装を形成する部材である。本体ケーシング１は熱交換器３１と、給気送風機３２と、排気送風機３３と、給気温度センサ３４と、給気湿度センサ３５と、排気温度センサ３６と、排気湿度センサ３７と、温調コイル３８と、加湿エレメント３９と、給水配管４０と、給水弁４１と、ダンパ４２と、制御装置４３とを収納している。本体ケーシング１の外面には、給気吸込口４５と、給気吹出口４６と、排気吸込口４７と、排気吹出口４８と、給水配管接続口４９が形成されている。給気吹出口４６と排気吸込口４７は換気装置２００が換気を行う空間である換気空間とそれぞれ繋がっている。給気吸込口４５と排気吹出口４８は屋外などの換気空間とは異なる他の空間とそれぞれ繋がっている。給水配管接続口４９は水道などの給水源と繋がっている。
【０１０３】
また、給気吸込口４５と給気吹出口４６は本体ケーシング３０の内部に形成された給気風路５０により連通されている。排気吸込口４７と排気吹出口４８は本体ケーシング３０の内部に形成された排気風路５１により連通されている。排気風路５１の一部には後述する熱交換器３１の第２の風路を迂回するようにバイパス風路５２が形成されている。
【０１０４】
熱交換器３１は、内部に第１の風路と第２の風路を有し、第１の風路内に流れる空気と第２の風路内に流れる空気とが熱と水分を交換する構成になっている。熱交換器３１が換気装置２００に収納されると、第１の風路は給気風路５０の一部を形成し、第２の風路は排気風路５１の一部を形成する。
【０１０５】
給気送風機３２は給気風路５０の内部の空気を給気吸込口４５側から給気吹出口４６側へ送風する機器である。給気送風機３２は給気風路５０の内部に配置されている。また、排気送風機３３は排気風路５１の内部の空気を排気吸込口４７側から排気吹出口４８側へ送風する機器である。排気送風機３３は排気風路５１の内部に配置されている。なお、給気送風機３２と排気送風機３３は、例えばファンと回転数を制御することができるモータとによって構成されるなど、それぞれ風量を制御可能なように構成されている。実施の形態４では給気送風機３２及び排気送風機３３は風量が大きい順に、強、中、弱、の三段階の風量にそれぞれ制御可能とする。
【０１０６】
給気温度センサ３４と排気温度センサ３６は温度を検出することが可能な素子であり、給気湿度センサ３５と排気湿度センサ３７は湿度を検出することが可能な素子である。給気温度センサ３４と給気湿度センサ３５は給気風路５０の内部に配置されており、熱交換器３１の第１の風路よりも給気吸込口４５側に配置されている。排気温度センサ３６と排気湿度センサ３７は排気風路５１の内部に配置されており、熱交換器３１の第２の風路並びにバイパス風路５２よりも排気吸込口４７側に配置されている。
【０１０７】
温調コイル３８は通過する空気を加熱する部材である。温調コイル３８は給気風路５０の内部に配置されており、熱交換器３１の第１の風路よりも給気吹出口４６側に配置されている。また、温調コイル３８は、例えば冷凍サイクルの凝縮器など、加熱量を制御可能なように構成されている。実施の形態４では温調コイル３８が加熱できる最大の加熱量を１００％、温調コイル３８が動作していない状態の加熱量を０％として、１００％、７５％、５０％、２５％、０％の五段階に加熱量を制御可能とする。
【０１０８】
加湿エレメント３９は通過する空気を加湿する部材である。例えば、水分を含むフィルターなどが加湿エレメント３９として用いられる。加湿エレメント３９は給気風路５０の内部に配置されており、温調コイル３８よりも給気吹出口４６側に配置されている。
【０１０９】
給水配管４０は加湿エレメント３９と給水配管接続口４９を連通させる配管である。加湿エレメント３９は、給水配管４０と給水配管接続口４９を介して水源の水が給水される。
【０１１０】
給水弁４１は加湿エレメント３９の給水流量を調整する弁である。給水弁４１は給水配管４０の途中に配置されている。給水弁４１は例えば弁の開度を制御することができる二方弁など、加湿エレメント３９の給水流量を制御可能なように構成される。実施の形態４では弁が全開の状態を１００％、弁が全閉の状態を０％として、１００％、７５％、５０％、２５％、０％の五段階に給水流量を制御可能とする。
【０１１１】
ダンパ４２はバイパス風路５２を開放するか閉塞するかを切り替える部材である。ダンパ４２は排気風路５１の内部に配置されている。ダンパ４２は、例えばモータなどのアクチュエータによって、図１２のように熱交換器３１の第２の風路を開放しバイパス風路５２を閉塞する位置と、図１３のように熱交換器３１の第２の風路を閉塞しバイパス風路５２を開放する位置とを移動可能なように構成されている。
【０１１２】
制御装置４３は、給気温度センサ３４並び排気温度センサ３６が検出した温度と給気湿度センサ３５並びに排気湿度センサ３７が検出した湿度とに基づき、給気送風機３２並びに排気送風機３３の風量と温調コイル３８の加熱量と加湿エレメント３９への給水流量の制御を行う。
【０１１３】
操作端末４４は少なくとも利用者が換気装置２００の運転の開始と換気装置２００の運転の停止に関する操作を行うための端末である。操作端末４４は例えばリモートコントローラや、操作用のアプリケーションがインストールされたコンピュータ、タブレット端末又はスマートフォンなどが該当する。
【０１１４】
次に実施の形態４に係る換気装置２００の内部の空気の流れについて説明を行う。まず、給気風路５０の空気の流れについて説明を行う。給気送風機３２が運転することによって、換気空間とは異なる他の空間の空気が給気吸込口４５より換気装置２００の内部に流入する。給気吸込口４５より流入した空気を給気吸込空気５３と称する。
【０１１５】
給気吸込空気５３は給気風路５０に流入する。給気温度センサ３４は給気風路５０に流入した給気吸込空気５３の温度を検出する。また、給気湿度センサ３５は給気風路５０に流入した給気吸込空気５３の湿度を検出する。
【０１１６】
給気温度センサ３４と給気湿度センサ３５で温度と湿度を検出された給気吸込空気５３は、熱交換器３１の第１の風路を通過する。熱交換器３１の第１の風路を通過する空気を給気熱交換空気５４と称する。熱交換器３１の第２の風路に後述する排気熱交換空気５８が流れている場合には、給気熱交換空気５４は排気熱交換空気５８と熱並びに水分の交換を行いつつ熱交換器３１の第１の風路を通過する。また、熱交換器３１の第２の風路に排気熱交換空気５８が流れていない場合には、給気熱交換空気５４は熱並びに水分の交換を行わずに熱交換器３１の第１の風路を通過する。
【０１１７】
熱交換器３１の第１の風路を通過した給気熱交換空気５４は、給気送風機３２を通過した後に、温調コイル３８を通過して加熱される。ここで温調コイル３８を通過して加湿エレメント３９を通過する前の空気を給気加湿前空気５５と称する。
【０１１８】
給気加湿前空気５５は加湿エレメント３９を通過して加湿される。ここで加湿エレメント３９によって加湿された空気を給気加湿後空気５６と称する。給気加湿後空気５６は給気吹出口４６より流出し、換気空間に吹き出される。
【０１１９】
次に排気風路５１の空気の流れについて説明を行う。排気送風機３３が運転することによって、換気空間の空気が排気吸込口４７より換気装置２００の内部に流入する。排気吸込口４７より流入した空気を排気吸込空気５７と称する。
【０１２０】
排気吸込空気５７は排気風路５１に流入する。排気温度センサ３６は排気風路５１に流入した排気吸込空気５７の温度を検出する。また、排気湿度センサ３７は排気風路５１に流入した排気吸込空気５７の湿度を検出する。
【０１２１】
ダンパ４２が図１２のように熱交換器３１の第２の風路を開放しバイパス風路５２を閉塞する位置にある場合には、排気温度センサ３６と排気湿度センサ３７で温度と湿度を検出された排気吸込空気５７は熱交換器３１の第２の風路を通過する。熱交換器３１の第２の風路を通過する空気を排気熱交換空気５８と称する。排気熱交換空気５８は給気熱交換空気５４と熱並びに水分の交換を行いつつ熱交換器３１の第２の風路を通過する。
【０１２２】
ダンパ４２が図１３のように熱交換器３１の第２の風路を閉塞しバイパス風路５２を解放する位置にある場合には、給気温度センサ３４と給気湿度センサ３５で温度と湿度を検出された排気吸込空気５７はバイパス風路５２を通過する。バイパス風路５２を通過する空気を排気バイパス通過空気６０と称する。排気バイパス通過空気６０は給気熱交換空気５４と熱並びに水分の交換を行わずバイパス風路５２を通過する。
【０１２３】
熱交換器３１の第２の風路を通過した排気熱交換空気５８およびバイパス風路５２を通過した排気バイパス通過空気６０は、排気送風機３３を通過した後に、排気吹出口４８より流出し、換気空間とは異なる他の空間に吹き出される。排気吹出口４８より流出する空気を排気吹出空気５９と称する。
【０１２４】
図１４は実施の形態４に係る換気装置の機能ブロック線図である。次に実施の形態４に係る換気装置２００の機能ブロック線図を説明する。制御装置４３は入力インターフェース６１と出力インターフェース６２とマイコン６３とで構成されている。
【０１２５】
入力インターフェース６１は給気温度センサ３４と給気湿度センサ３５と排気温度センサ３６と排気湿度センサ３７と通信可能に接続されており、給気温度センサ３４が検出した温度に関する情報と、給気湿度センサ３５が検出した湿度に関する情報と、排気温度センサ３６が検出した温度に関する情報と、排気湿度センサ３７が検出した湿度に関する情報をそれぞれ受信する。出力インターフェース６２は給気送風機３２と排気送風機３３と温調コイル３８と給水弁４１とダンパ４２と通信可能に接続されており、給気送風機３２の風量に関する制御信号と、排気送風機３３の風量に関する制御信号と、温調コイル３８の加熱量に関する制御信号と、給水弁４１の開度に関する制御信号と、ダンパ４２の位置に関する制御信号を送信する。
【０１２６】
マイコン６３は、記憶部６４と、制御部６５と、乾燥状態判断部６６と、タイマー部６７の機能を有している。また、マイコン６３は、実施の形態１のマイコン１８と同様にプロセッサーと、メモリーと、タイマーを備えている。
【０１２７】
記憶部６４は、プロセッサーにより実行されるソフトウェアのプログラムと、給気送風機３２の風量と、排気送風機３３の風量と、温調コイル３８の加熱量と、給水弁４１の開度と、ダンパ４２の位置とをそれぞれ制御するために用いられる数値を記憶している。記憶部６４は、メモリーにプログラム及び各種数値が記憶されることで実現される。
【０１２８】
制御部６５は、給気送風機３２の風量と、排気送風機３３の風量と、温調コイル３８の加熱量と、給水弁４１の開度と、ダンパ４２の位置とのそれぞれに関する制御信号を生成し、給気送風機３２と排気送風機３３と温調コイル３８と給水弁４１とダンパ４２とを制御する。また、乾燥状態判断部６６は、加湿エレメント３９が乾燥状態か否かを判断する。制御部６５と乾燥状態判断部６６は、プロセッサーがメモリーに記憶にされたソフトウェアのプログラムに従って処理を実行することにより実現される。
【０１２９】
タイマー部６７は経過時間の計測を行う。タイマー部６７はタイマーによって実現される。
【０１３０】
次に実施の形態４に係る換気装置の通常運転の一例について説明する。なお、本発明における通常運転とは次に説明する一例に限らず、後述する過乾燥抑制運転を除く運転のことを指す。図１５は実施の形態４に係る換気装置の通常運転の制御の一例を示すフローチャートである。図１５のフローチャートの制御は利用者が操作端末４４より換気装置２００の運転を開始させる操作を行った際に開始する。
【０１３１】
ステップＳ１ａでは、タイマー部６７は加湿運転時間ｔａをリセットする。
【０１３２】
ステップＳ１ａの処理の終了後、ステップＳ２ａへ進む。ステップＳ２ａでは、タイマー部６７は加湿運転時間ｔａの計測を開始する。
【０１３３】
ステップＳ２ａの処理の終了後、ステップＳ３ａへ進む。ステップＳ３ａでは、制御部６５は換気装置２００に加湿換気運転を行わせる制御を行う。加湿換気運転とは、換気空間の空気を排気し換気空間とは異なる他の空間の空気を加湿して給気する運転である。例えば、加湿換気運転では、制御部６５は給水弁４１を開き加湿エレメント３９に水を供給し、給気送風機３２と排気送風機３３を運転し、温調コイル３８を加熱するよう制御を行う。実施の形態４における加湿換気運転では、給気風量は中、排気風量は中、給水流量は７５％、温調コイル３８の加熱量は１００％から２５％のいずれかの値、ダンパ４２の位置はバイパス風路５２を閉塞する位置もしくはバイパス風路５２を開放する位置のいずれかに制御されるとする。
【０１３４】
ステップＳ３ａの処理の終了後、ステップＳ４ａへ進む。ステップＳ４ａでは、制御部６５は利用者が操作端末４４より換気装置２００の運転を停止させる操作を行ったか否かを判断する。
【０１３５】
利用者が操作端末４４より換気装置２００の運転を停止させる操作を行ったと制御部６５が判断した場合（ステップＳ４ａ、ＹＥＳ）、ステップＳ５ａへ進む。ステップＳ５ａでは、予め定められた時間の間、制御部６５は換気装置２００に乾燥運転を行わせる制御を行う。例えば、乾燥運転では、制御部６５は給水弁４１を閉じて加湿エレメント３９への水の給水を止め、給気送風機３２と排気送風機３３を運転し、温調コイル３８を加熱するよう制御を行う。実施の形態４における乾燥運転では、給気風量は強、排気風量は強、給水流量は０％、温調コイル３８の加熱量は２５％、ダンパ４２の位置はバイパス風路５２を閉塞する位置に制御されるとする。
【０１３６】
ステップＳ５ａの処理の終了後、ステップＳ６ａへ進む。ステップＳ６ａでは制御部６５は換気装置２００の運転を停止させる。運転の停止では、給水弁４１を閉じて加湿エレメント３９への水の給水を止め給気送風機３２と排気送風機３３と温調コイル３８を停止させる。ステップＳ６ａの処理の終了後、換気装置２００の通常運転を終了する。
【０１３７】
利用者が操作端末４４より換気装置２００の運転を停止させる操作を行っていないと制御部２０が判断した場合（ステップＳ４ａ、ＮＯ）、ステップＳ７ａへ進む。ステップＳ７ａではタイマー部６７は加湿運転時間ｔａが予め定められた乾燥運転開始時間ｔｓよりも大きいか否か判断する。
【０１３８】
タイマー部６７は加湿運転時間ｔａが乾燥運転開始時間ｔｓよりも大きいと判断した場合（ステップＳ７ａ、ＹＥＳ）、ステップＳ８ａへ進む。ステップＳ８ａでは制御部６５は、予め定められた時間の間、制御部６５は換気装置２００に乾燥運転を行わせる制御を行う。なお、ステップＳ８ａにおける乾燥運転はステップＳ５ａで説明した乾燥運転と同様であり、説明を割愛する。ステップＳ８ａの終了後、ステップＳ１ａへ進み、タイマー部６７は加湿運転時間ｔａのリセットを行う。
【０１３９】
タイマー部６７は加湿運転時間ｔａが乾燥運転開始時間ｔｓ以下であると判断した場合（ステップＳ７ａ、ＮＯ）、ステップＳ４ａへ進み、再び制御部６５は利用者が操作端末４４より換気装置２００の運転を停止させる操作を行ったか否かを判断する。
【０１４０】
次に実施の形態４に係る換気装置２００の加湿エレメント３９の過乾燥状態を抑制する制御について説明する。当該制御のフローチャートは、実施の形態１に係る加湿装置１００の過乾燥状態を抑制する制御のフローチャートと比較して各処理の主体が異なるだけであるため、図４のフローチャートを利用して説明する。なお、図４のフローチャートの制御は利用者が操作端末４４より換気装置２００の運転開始の操作を行った際に開始する。つまり、図１５のフローチャートの制御と図４のフローチャートの制御は同時に行われる。
【０１４１】
ステップＳ１１では、乾燥状態判断部６６は過乾燥判定値ｆｄを導出する。実施の形態４の換気装置２００における過乾燥判定値ｆｄの導出の詳細については後述する。
【０１４２】
ステップＳ１１の処理の終了後、ステップＳ１２へ進む。ステップＳ１２では、乾燥状態判断部６６はステップＳ１１で導出した過乾燥判定値ｆｄが過乾燥判定閾値εより大きいか否か判断する。過乾燥判定閾値εは予め定められた定数であり、記憶部６４に記憶されている。
【０１４３】
ステップＳ１２において過乾燥判定値ｆｄが過乾燥判定閾値εより大きいと乾燥状態判断部６６が判断した場合（ステップＳ１２、Ｙｅｓ）、ステップＳ１３へ進む。ステップＳ１３では、制御部６５は図１５のフローチャートの通常運転の制御を停止させる。つまり、換気装置２００が加湿換気運転又は乾燥運転を行っていた場合はそれらの運転は停止される。
【０１４４】
ステップＳ１３の処理の終了後、ステップＳ１４へ進む。ステップＳ１４では、制御部６５は換気装置２００に過乾燥抑制運転を行わせる制御を行う。実施の形態４の換気装置２００における過乾燥抑制運転の詳細については後述する。
【０１４５】
ステップＳ１４の処理の終了後、ステップＳ１５へ進む。ステップＳ１５では、ステップＳ１１と同様に乾燥状態判断部６６は過乾燥判定値ｆｄを導出する。
【０１４６】
ステップＳ１５の処理の終了後、ステップＳ１６へ進む。ステップＳ１６では、乾燥状態判断部６６はステップＳ１５で導出した過乾燥判定値ｆｄが過乾燥判定閾値εより大きいか否か判断する。
【０１４７】
ステップＳ１６において過乾燥判定値ｆｄが過乾燥判定閾値εより大きいと乾燥状態判断部６６が判断した場合（ステップＳ１６、Ｙｅｓ）、ステップＳ１４へ進み、再び過乾燥抑制運転を行う。
【０１４８】
ステップＳ１６において過乾燥判定値ｆｄが過乾燥判定閾値ε以下と乾燥状態判断部６６が判断した場合（ステップＳ１６、Ｎｏ）、ステップＳ１７へ進む。ステップＳ１７では、制御部６５は換気装置２００に通常運転を再開させる制御を行う。
【０１４９】
ステップＳ１７の処理の終了後、又はステップＳ１２において過乾燥判定値ｆｄが過乾燥判定閾値ε以下と乾燥状態判断部６６が判断した場合（ステップＳ１２、Ｎｏ）、ステップＳ１８へ進む。ステップＳ１８では乾燥状態判断部６６は制御部６５が換気装置２００の運転を停止させたか判断する。
【０１５０】
ステップＳ１８において制御部６５が換気装置２００の運転を停止させたと乾燥状態判断部６６が判断した場合（ステップＳ１８、Ｙｅｓ）、加湿エレメント３９の過乾燥状態を抑制する制御を終了させる。ステップＳ１８において制御部２０が換気装置２００の運転を停止させていないと乾燥状態判断部６６が判断した場合（ステップＳ１８、Ｎｏ）、ステップＳ１１へ進み、乾燥状態判断部６６は過乾燥判定値ｆｄを導出する。
【０１５１】
図１６は実施の形態４に係る換気装置における過乾燥判定値ｆｄを導出するフローチャートである。図１６のフローチャートは、図４のフローチャートのステップＳ１１又はステップＳ１４の処理が行われる際に開始する。ここで乾燥状態判断部６６が行う過乾燥判定値ｆｄの導出方法について説明を行う。
【０１５２】
ステップＳ４１では、乾燥状態判断部６６は給気温度センサ３４が検出した温度を給気吸込空気５３の乾球温度Ｔｄｏａとして入力インターフェース６１を介して取得する。
【０１５３】
ステップＳ４１の処理の終了後、ステップＳ４２へ進む。ステップＳ４２では、乾燥状態判断部６６は給気湿度センサ３５が検出した湿度を給気吸込空気５３の相対湿度φｏａとして入力インターフェース６１を介して取得する。
【０１５４】
ステップＳ４２の処理の終了後、ステップＳ４３へ進む。ステップＳ４３では、乾燥状態判断部６６は給気風量Ｑｏａを導出する。給気風量Ｑｏａは制御部６５で制御されているため、図５のステップＳ２３と同様に給気風量Ｑｏａに関する制御値を参照して給気風量Ｑｏａを導出する。
【０１５５】
ステップＳ４３の処理の終了後、ステップＳ４４へ進む。ステップＳ４４では、乾燥状態判断部６６は加湿エレメント３９に供給される給水流量Ｑｗを導出する。給水流量Ｑｗは制御部６５で制御しているため、図５のステップＳ２４と同様に給水流量Ｑｗに関する制御値を参照しての給水流量Ｑｗを導出する。
【０１５６】
ステップＳ４４の処理の終了後、ステップＳ４５へ進む。ステップＳ４５では、乾燥状態判断部６６は給気吸込空気５３のエンタルピーＨｏａを導出する。エンタルピーＨｏａは、図１０のステップＳ３５と同様に乾球温度および相対湿度を行又は列としエンタルピーを要素とする湿り空気線図における相関関係を模擬した表又は相関関係の近似式を記憶部１９が記憶しており、ステップＳ４１で取得した乾球温度ＴｄｏａとステップＳ４２で取得した相対湿度φｏａを表と参照又は近似式に代入してエンタルピーＨｏａを導出する方法がある。
【０１５７】
ステップＳ４５の処理の終了後、ステップＳ４６へ進む。ステップＳ４６では、乾燥状態判断部６６はダンパ４２がバイパス風路５２を閉塞しているか否かを判断する。ダンパ４２の位置は制御部６５に制御されているため、乾燥状態判断部６６は制御部６５よりダンパ４２の位置に関する情報を取得し判断を行う。
【０１５８】
ステップＳ４６においてダンパ４２がバイパス風路５２を閉塞していると乾燥状態判断部６６が判断した場合（ステップＳ４６、Ｙｅｓ）、ステップＳ４７へ進む。ステップＳ４７では、乾燥状態判断部６６は排気温度センサ３６が検出した温度を排気吸込空気５７の乾球温度Ｔｄｒａとして入力インターフェース６１を介して取得する。
【０１５９】
ステップＳ４７の処理の終了後、ステップＳ４８へ進む。ステップＳ４８では、乾燥状態判断部６６は排気湿度センサ３７が検出した湿度を排気吸込空気５７の相対湿度φｒａとして入力インターフェース６１を介して取得する。
【０１６０】
ステップＳ４８の処理の終了後、ステップＳ４９へ進む。ステップＳ４９では、乾燥状態判断部６６は排気吸込空気５７のエンタルピーＨｒａを導出する。エンタルピーＨｒａは、ステップＳ４５と同様に乾球温度および相対湿度を行又は列としエンタルピーを要素とする湿り空気線図における相関関係を模擬した表又は相関関係の近似式を記憶部６４が記憶しており、ステップＳ４７で取得した乾球温度ＴｄｒａとステップＳ４８で取得した相対湿度φｒａを表と参照又は近似式に代入してエンタルピーＨｒａを導出する方法がある。
【０１６１】
ステップＳ４９の処理の終了後、ステップＳ５０へ進む。ステップＳ５０では、乾燥状態判断部６６は排気風量Ｑｒａを導出する。排気風量Ｑｒａは制御部６５で制御されているため、ステップＳ４４と同様に排気風量Ｑｒａに関する制御値を参照して排気風量Ｑｒａを導出する。
【０１６２】
ステップＳ５０の処理の終了後、ステップＳ５１へ進む。ステップＳ５１では、乾燥状態判断部６６は給気熱交換空気５４の乾球温度Ｔｄｏａ２を導出する。具体的には、数３に示す式によって導出する。ここで数３に使用している記号を定義する。ηｔは熱交換器３１の温度交換効率（単位は無次元）である。温度交換効率ηｔは給気風量Ｑｏａ及び排気風量Ｑｒａと相関関係にあり、相関関係は熱交換器３１の種類によって決まっている。記憶部６４は給気風量Ｑｏａ及び排気風量Ｑｒａを行又は列とし温度交換効率ηｔを要素とする相関関係を模擬した表又は近似式を記憶しており、ステップＳ４３で導出した給気風量ＱｏａとステップＳ５０で導出した排気風量Ｑｒａとを表又は近似式に代入することによって温度交換効率ηｔが決定される。なお、温度交換効率ηｔは給気風量Ｑｏａが増加すると温度交換効率ηｔは小さくなり、排気風量Ｑｒａが増加すると温度交換効率ηｔは大きくなる。
【０１６３】
【数３】
2020115810.tif 000005
【０１６４】
ステップＳ５１の処理の終了後、ステップＳ５２へ進む。ステップＳ５２では、乾燥状態判断部６６は給気熱交換空気５４のエンタルピーＨｏａ２を導出する。具体的には、数４に示す式によって導出する。ここで数４に使用している記号を定義する。ηｈは熱交換器３１のエンタルピー交換効率（単位は無次元）である。エンタルピー交換効率ηｈも温度交換効率ηｔと同様に給気風量Ｑｏａ及び排気風量Ｑｒａと相関関係にあり、相関関係は熱交換器３１の種類によって決まっている。従って、記憶部６４はエンタルピー交換効率ηｈと給気風量Ｑｏａ及び排気風量Ｑｒａの相関関係を模擬した表又は近似式を記憶しており、ステップＳ４３で導出した給気風量ＱｏａとステップＳ５０で導出した排気風量Ｑｒａとを表又は近似式に代入することによってエンタルピー交換効率ηｈが決定される。なお、エンタルピー交換効率ηｔも給気風量Ｑｏａが増加するとエンタルピー交換効率ηｈは小さくなり、排気風量Ｑｒａが増加するとエンタルピー交換効率ηｈは大きくなる。
【０１６５】
【数４】
2020115810.tif 000006
【０１６６】
ステップＳ５２の処理の終了後、並びにステップＳ４６においてダンパ４２がバイパス風路５２を閉塞していないと乾燥状態判断部６６が判断した場合（ステップＳ４６、Ｎｏ）ステップＳ５３へ進む。ステップＳ５３では乾燥状態判断部６６は給気熱交換空気５４の絶対湿度ｘｏａ２を導出する。具体的には、湿り空気線図における乾球温度およびエンタルピーを行又は列とし絶対湿度を要素とする相関関係を模擬した表又は相関関係の近似式を記憶部６４が記憶しており、給気熱交換空気５４の乾球温度とエンタルピーを表と参照又は近似式に代入して絶対湿度ｘｏａ２を導出する。ここでステップＳ４６においてダンパ４２がバイパス風路５２を閉塞していると乾燥状態判断部６６が判断した場合（ステップＳ４６、Ｙｅｓ）には、給気熱交換空気５４は排気熱交換空気５８と熱並びに水分の交換が行われるため、乾燥状態判断部はステップＳ５１で導出した乾球温度Ｔｄｏａ２とステップＳ５２で導出したエンタルピーＨｏａ２を表と参照又は近似式に代入する。また、ステップＳ４６においてダンパ４２がバイパス風路５２を閉塞していると乾燥状態判断部６６が判断していない場合（ステップＳ４６、Ｎｏ）には、給気熱交換空気５４は熱並びに水分の交換が行われないため、乾燥状態判断部はステップＳ４１で取得した乾球温度ＴｄｏａとステップＳ４５で導出したエンタルピーＨｏａを表と参照又は近似式に代入する。
【０１６７】
ステップＳ５３の処理の終了後、ステップＳ５４へ進む。ステップＳ５４では給気加湿前空気５５のエンタルピーＨｏａ３を導出する。具体的にはステップＳ４６においてダンパ４２がバイパス風路５２を閉塞していると乾燥状態判断部６６が判断した場合（ステップＳ４６、Ｙｅｓ）には数５に示す式で導出し、ステップＳ４６においてダンパ４２がバイパス風路５２を閉塞していないと乾燥状態判断部６６が判断した場合（ステップＳ４６、Ｎｏ）には数６に示す式で導出する。数５，数６において使用している記号を定義する。Ｑｈは温調コイル３８の加熱量（単位はＷ）温調コイルの加熱量は制御部６５で制御されているため、加熱量Ｑｈの制御値又は加熱量Ｑｈに関する制御値を参照して決まる。ρａは空気の密度（単位はｋｇ／ｍ３）である。ρａは定数であり、記憶部６４にρａの値は記憶されている。Ｑｏａは給気風量（単位はｍ３／ｓ）である。ＱａはステップＳ４２で導出した値を使用する。
【０１６８】
【数５】
2020115810.tif 000007
【０１６９】
【数６】
2020115810.tif 000008
【０１７０】
ステップＳ５４の処理の終了後、ステップＳ５５へ進む。ステップＳ５５では、乾燥状態判断部６６は給気加湿前空気５５の乾湿球温度差ΔＴを導出する。給気加湿前空気５５の乾球温度と、給気加湿前空気５５の湿球温度は、それぞれ記憶部６４に記憶されているエンタルピーおよび絶対湿度を行又は列とし乾球温度又は湿球温度を要素とする湿り空気線図における相関関係を模擬した表又は相関関係の近似式にステップＳ５４で導出したエンタルピーＨｏａ３とステップＳ５３で導出した絶対湿度ｘｏａ２を参照又は代入することで導出される。導出した加湿前空気２４の乾球温度より加湿前空気２４の乾球温度を減算することで給気加湿前空気５５の乾湿球温度差ΔＴを導出することができる。
【０１７１】
ステップＳ５５の終了後、ステップＳ５６へ進む。ステップＳ５６では、乾燥状態判断部６６は、ステップＳ４３で導出した給気風量Ｑｏａと、ステップＳ４４で導出した給水流量Ｑｗと、ステップＳ５５で導出した給気加湿前空気５５の乾湿球温度差ΔＴに過乾燥判定値ｆｄを導出する。過乾燥判定値ｆｄの導出の方法としては図４のステップＳ２７と同様に、数７の式を記憶部６４が記憶しており、それぞれの数値を式に代入してｆｄを算出する方法がある。
【０１７２】
【数７】
2020115810.tif 000009
【０１７３】
数７のｆ（ΔＴ，Ｑｏａ，Ｑｗ）は、乾湿球温度差ΔＴと給気風量Ｑｏａと給水流量Ｑｗの３つの変数によって決まる関数である。数１と同様の手法によって、関数ｆは実験的に導出される。
【０１７４】
また、関数ｆは乾湿球温度差ΔＴが大きくなれば過乾燥判定値ｆｄが大きくなる関係を満たす。さらに、関数ｆは給気風量Ｑｏａが大きくなれば過乾燥判定値ｆｄが大きくなる関係を満たす。さらに、関数ｆは給水流量Ｑｗが大きくなれば過乾燥判定値ｆｄが小さくなる関係を満たす。
【０１７５】
ステップＳ５６の処理の終了後、乾燥状態判断部６６は過乾燥判定値ｆｄの導出を終了する。
【０１７６】
図１７は、実施の形態４に係る換気装置における過乾燥抑制運転の制御のフローチャートである。次に実施の形態４における過乾燥抑制運転の制御について説明する。なお、実施の形態４における過乾燥抑制運転の制御のステップＳ４０２、Ｓ４０３、Ｓ４０４は、実施の形態１における過乾燥抑制運転の制御のステップＳ１０２、Ｓ１０３、Ｓ１０４と比較して主体がタイマー部２２からタイマー部６７に変更された点のみが異なり、制御内容は同様のため説明を割愛する。
【０１７７】
ステップＳ４０１では、制御部６５は熱交換器３１の第２の風路を開放しバイパス風路５２を閉塞させる。具体的には、制御部６５はダンパ４２に熱交換器３１の第２の風路を開放しバイパス風路５２を閉塞する位置に移動させる制御信号に送信することで、熱交換器３１の第２の風路を開放しバイパス風路５２を閉塞させる。
【０１７８】
以上のように実施の形態４に係る換気装置２００は、給水手段の給水流量と給気送風機３２の風量とを制御する制御部６５と、入力インターフェース６１を介して取得した温度並びに湿度と給気送風機３２の風量と給水手段の給水流量とに基づき加湿エレメント３９が過乾燥状態であるか否かを判断する乾燥状態判断部６６と、を備え、乾燥状態判断部６６は加湿エレメント３９が過乾燥状態であると判断すると、制御部６５は加湿エレメント３９の過乾燥状態を抑制する過乾燥抑制運転を行うよう制御する構成である。この構成によって、加湿エレメント３９が過乾燥状態になることを抑制し、加湿エレメント３９にスケールが析出されることを抑制する効果を奏する。また、スケールが析出され難くなるため、スケールによる異臭の発生や雑菌の発生を抑制する効果も奏する。
【０１７９】
さらに付加的構成として前述の実施の形態４に係る換気装置２００の構成に、排気風路５１に形成され排気風路５１を流れる空気が熱交換器３１を迂回して流れるよう形成されたバイパス風路５２と、排気風路５１内に設けられ、バイパス風路５２を開放する位置とバイパス風路５２を閉塞する位置に移動可能なダンパ４２と、を備え、制御部６５はダンパ４２の位置を制御し、過乾燥抑制運転において、制御部６５はバイパス風路５２を閉塞する位置にダンパ４２を移動させるよう制御を行う構成を付加しても良い。一般的に加湿エレメント３９が過乾燥状態である場合、排気熱交換空気５８は給気熱交換空気５４よりも暖かく湿った空気である。このため、熱交換を行った給気熱交換空気５４の乾湿球温度差ΔＴは熱交換を行う前である給気吸込空気５３の乾湿球温度差ΔＴよりも小さくなり、スケールが析出され難くなる。従って、当該付加的構成によって、過乾燥抑制運転では確実に排気風路５１を流れる空気は熱交換器３１を経由して流れるようになり、加湿エレメント３９にスケールが析出し難い条件にすることができる効果を奏する。
【０１８０】
さらに、付加的構成として前述の実施の形態４に係る換気装置２００の構成に、制御部６５は過乾燥抑制運転を開始してから予め定められた時間Ｔｓを経過するまで過乾燥抑制運転を維持するように制御を行う構成を付加しても良い。この構成によって、換気装置２００が通常運転と過乾燥抑制運転を短時間で切り替わることを防止でき、制御の安定性を高めることができる。
【０１８１】
さらに、付加的構成として前述の実施の形態４に係る換気装置２００の構成に、乾燥状態判断部６６は給水手段が加湿エレメント３９に給水し給気送風機３２が給気風路５０内の空気を送風する加湿換気運転時に加湿エレメント３９が過乾燥状態あるか否かを判断する構成を付加しても良い。この構成によって、加湿換気運転時に加湿エレメント３９が過乾燥状態になりスケールが析出することを抑制することができる。
【０１８２】
さらに、付加的構成として前述の実施の形態４に係る換気装置２００の構成に、乾燥状態判断部６６は給水手段が加湿エレメント３９に給水を行わず給気送風機３２が給気風路５０内の空気を送風する乾燥運転時に加湿エレメント３９が過乾燥状態あるか否かを判断する構成を付加しても良い。この構成によって、乾燥運転時に加湿エレメント３９が過乾燥状態になりスケールが析出することを抑制することができる。
【０１８３】
なお、実施の形態４に係る換気装置２００は、過乾燥抑制運転において制御部６５はバイパス風路５２を閉塞する位置にダンパ４２を移動させるように制御しているが、これに限らない。例えば、実施の形態１で示した図６の給水流量を増加させる過乾燥抑制運転のように、過乾燥抑制運転において制御部６５は過乾燥抑制運転を行う直前よりも給水手段の給水流量を増加させる制御を行っても良い。一例として、実施の形態４の変形例では、過乾燥抑制運転において制御部６５は給水流量が１００％になるよう制御を行う。
【０１８４】
また、実施の形態３で示した図１１の過乾燥抑制運転のように、過乾燥抑制運転において制御部６５は過乾燥抑制運転を行う直前よりも温調コイル３８の加熱量を減少させる制御を行っても良い。一例として、実施の形態４の変形例では、過乾燥抑制運転において制御部６５は加熱量が０％になるよう制御を行う。
【０１８５】
さらに、給水流量を増加させる過乾燥抑制運転と、温調コイル３８の加熱量を減少させる過乾燥抑制運転と、バイパス風路５２を閉塞させる過乾燥抑制運転とを同時に行っても構わない。
【０１８６】
なお、実施の形態４の換気装置２００は、給気吸込空気５３の温度と湿度より給気加湿前空気５５の乾湿球温度差ΔＴを導出しているがこれに限らない。実施の形態３の加湿装置１０１と同様に、例えば、温度センサと湿度センサを温調コイル３８よりも給気吹出口４６側であり加湿エレメント３９よりも給気吸込口４５側に配置して、給気加湿前空気５５の温度と湿度を直接測定して乾湿球温度差ΔＴを導出しても構わない。また、給気加湿前空気５５の乾湿球温度差ΔＴを導出せず、給気吸込空気５３の乾湿球温度差ΔＴを用いて過乾燥判定値ｆｄを導出しても良い。この場合、図４のステップＳ１２及びＳ１５において過乾燥判定値ｆｄに予め定められたマージンαを加えた値が過乾燥判定閾値εより大きいか否か判断する（ｆｄ＋α＞ε）。マージンαは実験的に求めた定数でも良いし、温調コイル３８の加熱量に比例した関数でも良い。この場合、排気温度センサ３６と排気湿度センサ３７は不要となる。
【０１８７】
また、実施の形態４に係る換気装置２００では本体ケーシング３０の内部に給気温度センサ３４と給気湿度センサ３５と排気温度センサ３６と排気湿度センサ３７とが配置されているが、これに限らない。給気温度センサ３４と給気湿度センサ３５の代わりに入力インターフェース６１より換気空間とは異なる他の空間の空気の温度及び湿度を取得できるようにすれば良い。例えば換気空間とは異なる他の空間が室外空間である場合、インターネットなどのネットワークから室外空間の温度及び湿度を取得すればよい。この場合、入力インターフェース６１より取得した温度又は湿度が給気風路を通過する空気の温度又は湿度に相当する。また、排気温度センサ３６と排気湿度センサ３７の代わりに入力インターフェース６１より換気空間を取得できるようにすれば良い。例えば換気空間に取り付けられた空気調和装置と通信可能になっており、当該空気調和装置の設定温度と設定湿度について入力インターフェース６１を介して取得しても良い。この場合、入力インターフェースを介して修得した設定温度又は設定湿度が排気風路を通過する空気の温度又は湿度に相当する。
【０１８８】
また、実施の形態４の換気装置２００は、給気吸込空気５３の温度と湿度及び排気吸込空気５７の温度と湿度より給気加湿前空気５５の乾湿球温度差ΔＴを導出しているがこれに限らない。例えば、温度センサと湿度センサを温調コイル３８よりも給気吹出口４６側であり加湿エレメント３９よりも給気吸込口４５側に配置して、給気加湿前空気５５の温度と湿度を直接測定して乾湿球温度差ΔＴを導出する構成でも構わない。この構成の場合、給気温度センサ３４と給気湿度センサ３５と排気温度センサ３６と排気湿度センサ３７の４つのセンサが不要になり、２つのセンサで乾湿球温度差ΔＴを導出できる。
【０１８９】
また、実施の形態４に係る換気装置２００では過乾燥判定値ｆｄの導出の方法として数７の式を記憶部６４が記憶しており、それぞれの数値を式に代入して過乾燥判定値ｆｄを算出しているがこれに限らない。例えば、給気風量Ｑｏａ及び給水流量Ｑｗを行又は列とし過乾燥判定値ｆｄを要素とする各々の乾湿球温度差ΔＴにおける数７の相関関係を模擬した表を記憶部６４が記憶しており、取得した給気風量Ｑｏａ、給水流量Ｑｗを表と参照して過乾燥判定値ｆｄを導出しても良い。
【０１９０】
また、実施の形態４に係る換気装置２００では温調コイル３８とダンパ４２とバイパス風路５２を有しているが、これに限らず、温調コイルと換気装置ダンパとバイパス風路は有していなくても構わない。
【０１９１】
また、実施の形態４に係る換気装置２００では本体ケーシング１は熱交換器３１と、給気送風機３２と、排気送風機３３と、給気温度センサ３４と、給気湿度センサ３５と、排気温度センサ３６と、排気湿度センサ３７と、温調コイル３８と、加湿エレメント３９と、給水配管４０と、給水弁４１と、ダンパ４２と、制御装置４３とを収納しているがこれに限らない。例えば、ケーシングが２つあり、片方のケーシングには熱交換器３１と、給気送風機３２と、排気送風機３３と、給気温度センサ３４と、給気湿度センサ３５と、排気温度センサ３６と、排気湿度センサ３７と、ダンパ４２と、制御装置４３とを収納し、もう片方のケーシングに温調コイル３８と、加湿エレメント３９と、給水配管４０と、給水弁４１とを収納する構成でも構わない。この場合、２つのケーシングが本体ケーシングに相当する。
【０１９２】
実施の形態５．
次に実施の形態５の換気装置２００について説明する。実施の形態５の換気装置２００は、実施の形態４の換気装置２００と比較して、過乾燥抑制運転の制御が異なる。なお、過乾燥抑制運転の制御を除く実施の形態４の換気装置２００の構成及び制御は実施の形態４の換気装置２００の構成及び制御と同様であり、説明を割愛する。
【０１９３】
図１８は、実施の形態５に係る換気装置における過乾燥抑制運転の制御のフローチャートである。次に実施の形態５における過乾燥抑制運転の制御について説明する。なお、実施の形態５における過乾燥抑制運転の制御のステップＳ５０２、Ｓ５０３、Ｓ５０４は、実施の形態１における過乾燥抑制運転の制御のステップＳ１０２、Ｓ１０３、Ｓ１０４と比較して主体がタイマー部２２からタイマー部６７に変更された点のみが異なり、制御内容は同様のため説明を割愛する。
【０１９４】
ステップＳ５０１では、制御部６５は過乾燥抑制運転を行う直前よりも給気風量を減少させる。具体的には、制御部６５は給気送風機３２の風量を減少させる制御信号を送信することで、給気送風機３２の風量が減少し、給気風量が減少する。なお、ステップＳ５０１において制御部６５は、使用者又は製造者が予め選択した給気風量に設定する制御でも良いし、予め定められた割合又は段階だけ給気風量を減少させる制御でも良いし、乾燥状態判断部６６が過乾燥判定値ｆｄの導出時に過乾燥状態で無くなる給気風量の算出を行い算出された風量に設定する制御でも良い。一例として、実施の形態５では、制御部６５は給気送風機３２の風量が弱になるよう制御を行う。
【０１９５】
以上のように実施の形態５の換気装置２００は、付加的構成として前述の実施の形態４に係る換気装置２００の構成に、過乾燥抑制運転において、制御部６５は過乾燥抑制運転を行う直前よりも給気送風機３２の風量を減少させる制御を行う構成を付加している。この構成によって、過乾燥抑制運転では給気風量が減少する。また、一般的に熱交換器３１の温度交換効率及びエンタルピー交換効率は給気風量に対する排気風量の割合によって変化し、排気風量の割合が大きくなると熱交換器３１の温度交換効率及びエンタルピー交換効率が増加し、給気加湿前空気５５の乾湿球温度差ΔＴが小さくなる。従って、当該付加的構成によって加湿エレメント３９をスケールが析出し難い条件にすることができる。
【０１９６】
また、実施の形態５で示した付加的構成は実施の形態４で示した他の付加的構成と共に実施の形態４に係る換気装置２００の構成に付加しても構わない。特に実施の形態５で示した給気送風機３２の風量を減少させる過乾燥抑制運転を、実施の形態４で示した他の過乾燥抑制運転と同時に行っても構わない。
【０１９７】
実施の形態６．
次に実施の形態６の換気装置２００について説明する。実施の形態６の換気装置２００は、実施の形態４の換気装置２００と比較して、過乾燥抑制運転の制御が異なる。なお、過乾燥抑制運転の制御を除く実施の形態４の換気装置２００の構成及び制御は実施の形態４の換気装置２００の構成及び制御と同様であり、説明を割愛する。
【０１９８】
図１９は、実施の形態６に係る換気装置における過乾燥抑制運転の制御のフローチャートである。次に実施の形態６における過乾燥抑制運転の制御について説明する。なお、実施の形態６における過乾燥抑制運転の制御のステップＳ６０３、Ｓ６０４、Ｓ６０５は、実施の形態１における過乾燥抑制運転の制御のステップＳ１０２、Ｓ１０３、Ｓ１２、Ｓ１０４と比較して主体がタイマー部２２からタイマー部６７に変更された点のみが異なり、制御内容は同様のため説明を割愛する。
【０１９９】
ステップＳ６０１では、制御部６５は熱交換器３１の第２の風路を開放しバイパス風路５２を閉塞させる。具体的には、制御部６５はダンパ４２に熱交換器３１の第２の風路を開放しバイパス風路５２を閉塞する位置に移動させる制御信号に送信することで、熱交換器３１の第２の風路を開放しバイパス風路５２を閉塞させる。
【０２００】
ステップＳ６０１の処理の終了後、ステップＳ６０２へ進む。ステップＳ６０２では、制御部６５は排気風量を増加させる。具体的には、制御部６５は排気送風機３３の風量を増加させる制御信号を送信することで、排気風量を増加させる。なお、ステップＳ６０２において制御部６５は、使用者又は製造者が予め選択した排気風量に設定する制御でも良いし、予め定められた割合又は段階だけ排気風量を増加させる制御でも良い。一例として、実施の形態６では、制御部６５は給気送風機３２の風量が強になるよう制御を行う。
【０２０１】
以上のように実施の形態５の換気装置２００は、付加的構成として前述の実施の形態４に係る換気装置２００の構成に、過乾燥抑制運転において、制御部６５は過乾燥抑制運転を行う直前よりも排気送風機３３の風量を増加させる制御を行う構成を付加している。この構成によって、過乾燥抑制運転では排気風量が増加し、熱交換器の３１の温度交換効率及びエンタルピー交換効率が増加し、給気加湿前空気５５の乾湿球温度差ΔＴが小さくなる。従って、当該付加的構成によって加湿エレメント３９をスケールが析出し難い条件にすることができる。
【０２０２】
また、実施の形態６で示した付加的構成は実施の形態４又は実施の形態５で示した他の付加的構成と共に実施の形態４に係る換気装置２００の構成に付加しても構わない。特に実施の形態６で示した排気送風機３３の風量を増加させる過乾燥抑制運転を、実施の形態４又は５で示した他の過乾燥抑制運転と同時に行っても構わない。
【０２０３】
また、実施の形態４に係る換気装置２００ではダンパ４２とバイパス風路５２を有しているが、これに限らず、換気装置ダンパとバイパス風路は有していなくても構わない。この場合、排気吸込空気５７は必ず熱交換器３１の第２の風路を通過するため、ステップＳ６０１の処理は不要となる。
【０２０４】
実施の形態７．
次に実施の形態７の換気装置２００について説明する。実施の形態６の換気装置２００は、実施の形態４の換気装置２００と比較して、換気装置２００の加湿エレメント３９の過乾燥を抑制する制御の内容と、複数の過乾燥抑制運転を行う点が異なる。なお、それ以外の実施の形態４の換気装置２００の構成及び制御は実施の形態４の換気装置２００の構成及び制御と同様であり、説明を割愛する。
【０２０５】
図２０は、実施の形態７に係る換気装置の加湿エレメントの過乾燥状態を抑制する制御のフローチャートである。図２０のフローチャートの制御は、利用者が操作端末４４より換気装置２００の運転を開始させる操作を行った際に開始する。
【０２０６】
ステップＳ１００１では、乾燥状態判断部６６は過乾燥判定値ｆｄを導出する。ステップＳ１００１における過乾燥判定値ｆｄの導出方法は、実施の形態４の図１５のフローチャートのステップＳ１１と同様であるため、説明を割愛する。
【０２０７】
ステップＳ１００１の処理の終了後、ステップＳ１００２へ進む。ステップＳ１００２では、乾燥状態判断部６６はステップＳ１００１で導出した過乾燥判定値ｆｄが過乾燥判定閾値εより大きいか否かを判断する。過乾燥判定閾値εは予め定められた定数であり、記憶部６４に記憶されている。
【０２０８】
ステップＳ１００２において過乾燥判定値ｆｄが過乾燥判定閾値εより大きいと乾燥状態判断部６６が判断した場合（ステップＳ１００２、Ｙｅｓ）、ステップＳ１００３へ進む。ステップＳ１００３では、制御部６５は図１５のフローチャートの通常運転の制御を停止させる。
【０２０９】
ステップＳ１００３の処理の終了後、ステップＳ１００４へ進む。ステップＳ１００４では、制御部６５は換気装置２００に第一の過乾燥抑制運転を行わせる制御を行う。第一の過乾燥抑制運転の詳細は後述する。
【０２１０】
ステップＳ１００４の処理の終了後、ステップＳ１００５へ進む。ステップＳ１００５ではステップＳ１００１と同様に乾燥状態判断部６６は過乾燥判定値ｆｄを導出する。
【０２１１】
ステップＳ１００５の処理の終了後、ステップＳ１００６へ進む。ステップＳ１００６では、乾燥状態判断部６６はステップＳ１００５で導出した過乾燥判定値ｆｄが過乾燥判定閾値εより大きいか否かを判断する。
【０２１２】
ステップＳ１００６において過乾燥判定値ｆｄが過乾燥判定閾値εより大きいと乾燥状態判断部６６が判断した場合（ステップＳ１００６、Ｙｅｓ）、ステップＳ１００７へ進む。ステップＳ１００７では、制御部６５は換気装置２００に第一の過乾燥抑制運転を行わせる制御を行う。第二の過乾燥抑制運転の詳細は後述する。
【０２１３】
ステップＳ１００７の処理の終了後、ステップＳ１００８へ進む。ステップＳ１００８ではステップＳ１００１と同様に乾燥状態判断部６６は過乾燥判定値ｆｄを導出する。
【０２１４】
ステップＳ１００８の処理の終了後、ステップＳ１００９へ進む。ステップＳ１００９では、乾燥状態判断部６６はステップＳ１００８で導出した過乾燥判定値ｆｄが過乾燥判定閾値εより大きいか否かを判断する。
【０２１５】
ステップＳ１００９において過乾燥判定値ｆｄが過乾燥判定閾値εより大きいと乾燥状態判断部６６が判断した場合（ステップＳ１００９、Ｙｅｓ）、ステップＳ１０１０へ進む。ステップＳ１０１０では、制御部６５は換気装置２００に第三の過乾燥抑制運転を行わせる制御を行う。第三の過乾燥抑制運転の詳細は後述する。
【０２１６】
ステップＳ１０１０の処理の終了後、ステップＳ１０１１へ進む。ステップＳ１０１１ではステップＳ１００１と同様に乾燥状態判断部６６は過乾燥判定値ｆｄを導出する。
【０２１７】
ステップＳ１０１１の処理の終了後、ステップＳ１０１２へ進む。ステップＳ１０１２では、乾燥状態判断部６６はステップＳ１０１１で導出した過乾燥判定値ｆｄが過乾燥判定閾値εより大きいか否かを判断する。
【０２１８】
ステップＳ１０１２において過乾燥判定値ｆｄが過乾燥判定閾値εより大きいと乾燥状態判断部６６が判断した場合（ステップＳ１０１２、Ｙｅｓ）、ステップＳ１０１３へ進む。ステップＳ１０１３では、制御部６５は換気装置２００に第四の過乾燥抑制運転を行わせる制御を行う。第四の過乾燥抑制運転の詳細は後述する。
【０２１９】
ステップＳ１０１３の処理の終了後、ステップＳ１０１４へ進む。ステップＳ１０１４ではステップＳ１００１と同様に乾燥状態判断部６６は過乾燥判定値ｆｄを導出する。
【０２２０】
ステップＳ１０１４の処理の終了後、ステップＳ１０１５へ進む。ステップＳ１０１５では、乾燥状態判断部６６はステップＳ１０１４で導出した過乾燥判定値ｆｄが過乾燥判定閾値εより大きいか否かを判断する。
【０２２１】
ステップＳ１０１５において過乾燥判定値ｆｄが過乾燥判定閾値εより大きいと乾燥状態判断部６６が判断した場合（ステップＳ１０１５、Ｙｅｓ）、ステップＳ１００４へ進み、再び第一の過乾燥抑制運転を行う。
【０２２２】
ステップＳ１００６、Ｓ１００９、Ｓ１０１２、Ｓ１０１５において過乾燥判定値ｆｄが過乾燥判定閾値ε以下と乾燥状態判断部６６が判断した場合（ステップＳ１００６、Ｓ１００９、Ｓ１０１２、Ｓ１０１５、Ｎｏ）、ステップＳ１０１６へ進む。ステップＳ１０１６では、制御部６５は換気装置２００に通常運転を再開させる制御を行う。
【０２２３】
ステップＳ１０１６の処理の終了後、又はステップＳ１００２において過乾燥判定値ｆｄが過乾燥判定閾値ε以下と乾燥状態判断部６６が判断した場合（ステップＳ１００２、Ｎｏ）、ステップＳ１０１７へ進む。ステップＳ１０１７では、乾燥状態判断部６６は制御部６５が換気装置２００の運転を停止させたか判断する。
【０２２４】
ステップＳ１０１７において制御部６５が換気装置２００の運転を停止させたと乾燥状態判断部６６が判断した場合（ステップＳ１０１７、Ｙｅｓ）、加湿エレメント３９の過乾燥状態を抑制する制御を終了させる。ステップＳ１０１７において制御部２０が換気装置２００の運転を停止させていないと乾燥状態判断部６６が判断した場合（ステップＳ１０１７、Ｎｏ）、ステップＳ１００１へ進み、乾燥状態判断部６６は過乾燥判定値ｆｄを導出する。
【０２２５】
図２１は、実施の形態７に係る換気装置の第一から第四の過乾燥抑制運転を示す表の一例である。次に第一から第四の過乾燥抑制運転について説明する。
【０２２６】
記憶部６４は図２１に示すように第一から第四の過乾燥抑制運転で制御部６５が行う制御の内容を記憶している。また、記憶部６４には第一から第四の過乾燥抑制運転の制御内容は複数のパターンが記憶されている。
【０２２７】
各パターンにおける第一から第四の過乾燥抑制運転で制御部６５が行う制御の内容は、実施の形態１のように過乾燥抑制運転を行う直前よりも給水手段の給水流量を増加させる制御と、実施の形態３のように過乾燥抑制運転を行う直前よりも温調コイル３８の加熱量を減少させる制御と、実施の形態４のようにバイパス風路５２を閉塞させる制御と、実施の形態５のように過乾燥抑制運転を行う直前よりも給気風量を減少させる制御と、実施の形態６のように過乾燥抑制運転を行う直前よりも排気風量を増加させる制御から１つ又は複数が設定されている。なお、制御の内容は使用者又は製造者のいずれが設定しても構わない。また、第一から第四の過乾燥抑制運転全てが設定される必要はなく、少なくとも第一と第二の過乾燥抑制運転の制御内容が設定されていれば良い。制御内容が設定されていない場合は、制御部６５は直前の過乾燥抑制運転を維持する。
【０２２８】
図２０のフローチャートにおいて、制御部６５は各パターンのうち予め決定された１つのパターンに記憶されている制御の内容に従って第一から第四の過乾燥抑制運転を行う。なお、また、パターンの決定は、使用者が操作端末４４より設定しても良いし、製造者が出荷時に設定しても良いし、制御部６５が換気装置２００の運転状態から自動的にパターンを行っても良い。例えば、加湿換気運転時に過乾燥判定値ｆｄが過乾燥判定閾値εより大きいと乾燥状態判断部６６が判断した場合には制御部６５は予め使用者又は製造者が設定したパターンに記憶されている制御の内容に従い、乾燥運転時に過乾燥判定値ｆｄが過乾燥判定閾値εより大きいと乾燥状態判断部６６が判断した場合には制御部はパターン５に記憶されている制御の内容に従って第一から第四の過乾燥抑制運転を行う。
【０２２９】
例えば、パターン１では、第一の過乾燥抑制運転において制御部６５はバイパス風路５２を閉塞する位置にダンパ４２を移動させるように制御を行う。第二の過乾燥抑制運転において制御部６５は給水流量が１００％になるよう制御を行う。第三の過乾燥抑制運転において制御部６５は加熱量が５０％になるよう制御を行う。第四の過乾燥抑制運転において給気送風機３２の風量が弱に排気送風機３３の風量が強になるよう制御を行う。
【０２３０】
また、パターン２では、第一の過乾燥抑制運転において制御部６５はバイパス風路５２を閉塞する位置にダンパ４２を移動させるように制御を行う。第二の過乾燥抑制運転において制御部６５は給水流量が１００％になるよう制御を行う。第三の過乾燥抑制運転において制御部６５は加熱量が２５％になるよう制御を行う。なお、第四の過乾燥抑制運転は設定されていない。
【０２３１】
また、パターン３では、第一の過乾燥抑制運転において制御部６５はバイパス風路５２を閉塞する位置にダンパ４２を移動させるように制御を行う。第二の過乾燥抑制運転において制御部６５は加熱量が２５％になるよう制御を行う。なお、第三と第四の過乾燥抑制運転は設定されていない。
【０２３２】
また、パターン４では、第一の過乾燥抑制運転において制御部６５はバイパス風路５２を閉塞する位置にダンパ４２を移動させるように制御を行う。第二の過乾燥抑制運転において制御部６５は加熱量が５０％になるよう制御を行う。第三の過乾燥抑制運転において制御部６５は加熱量が２５％になるよう制御を行う。なお、第四の過乾燥抑制運転は設定されていない。
【０２３３】
また、パターン５では、第一の過乾燥抑制運転において制御部６５は第四の過乾燥抑制運転では給気送風機３２の風量が弱に排気送風機３３の風量が強になるよう制御を行う。第二の過乾燥抑制運転において制御部６５は加熱量が０％になるよう制御を行う。第三の過乾燥抑制運転において制御部６５は給水流量が５０％になるよう制御を行う。なお、第四の過乾燥抑制運転は設定されていない。
【０２３４】
なお、第一から第四の過乾燥抑制運転で制御部６５が異なる対象に制御を行う場合、各過乾燥抑制運転はそれぞれ重複する。例えば、パターン１の第四の過乾燥抑制運転では、制御部６５はダンパがバイパス風路５２を閉塞する位置にダンパ４２を移動し、給水流量が１００％になり、加熱量が５０％になり。給気送風機３２の風量が弱に排気送風機３３の風量が強になるように制御を行う。
【０２３５】
また、第一から第四の過乾燥抑制運転で制御部６５が同じ対象に制御を行う場合には、後に行われた過乾燥抑制運転の制御の内容が優先される。例えばパターン４の第三の過乾燥抑制運転ではダンパがバイパス風路５２を閉塞する位置にダンパ４２を移動し、加熱量が２５％になるよう制御を行う。
【０２３６】
以上のように、実施の形態７の換気装置２００では、付加的構成として前述の実施の形態４に係る換気装置２００の構成に、過乾燥抑制運転は少なくとも第一の過乾燥抑制運転と第二の過乾燥抑制運転があり、第一の過乾燥抑制運転と第二の過乾燥抑制運転を行っていない場合に過乾燥判定値ｆｄが過乾燥判定閾値εより大きいと乾燥状態判断部６６が判断すると制御部６５は第一の過乾燥抑制運転を行うよう制御し、第一の過乾燥抑制運転を行っている場合に過乾燥判定値ｆｄが過乾燥判定閾値εより大きいと乾燥状態判断部６６が判断すると制御部６５は第二の過乾燥抑制運転を行うよう制御を行う構成を付加している。この構成によって、第一の過乾燥抑制運転を行っても加湿エレメント３９の過乾燥状態が続く場合であっても、第二の過乾燥抑制運転を行うことで加湿エレメント３９の過乾燥状態を抑制し、加湿エレメント３９にスケール成分が析出することを抑制することができる効果を奏する。
【０２３７】
さらに、実施の形態７の換気装置２００では、付加的構成として、第一の過乾燥抑制運転と第二の過乾燥抑制運転において制御部６５が異なる対象に制御を行う場合、第一の過乾燥抑制運転と第二の過乾燥抑制運転はそれぞれ重複する構成を付加している。この構成によってより加湿エレメント３９の過乾燥状態を抑制し、加湿エレメント３９にスケール成分が析出することを抑制することができる効果を奏する。
【０２３８】
さらに、実施の形態７の換気装置２００では、付加的構成として、第一の過乾燥抑制運転と第二の過乾燥抑制運転において制御部６５が同じ対象に制御を行う場合、第一の過乾燥抑制運転よりも第二の過乾燥抑制運転が優先される構成を付加している。この構成によってより加湿エレメント３９の過乾燥状態を抑制し、加湿エレメント３９にスケール成分が析出することを抑制することができる効果を奏する。
【０２３９】
また、実施の形態７では、記憶部６４は第一から第四の過乾燥抑制運転について５つのパターンを記憶しているがこれに限らない。記憶部６４は過乾燥抑制運転については少なくとも第１の過乾燥抑制運転と第２の過乾燥抑制運転さえ記憶していれば良い。また、パターンについては１つ又は２以上の複数のパターンを記憶部６４は記憶していれば良い。
【０２４０】
また、実施の形態７は換気装置２００に係る実施の形態であるが、実施の形態１で示した加湿装置１００に実施の形態７の付加的構成を付加しても構わない。
【符号の説明】
【０２４１】
１  本体ケーシング、２  送風機、３  温度センサ、４  湿度センサ、５  加湿エレメント、６  給水配管、７  給水弁、８  制御装置、９  操作端末、１０  吸込口、１１  吹出口、１２  給水配管接続口、１３  風路、１４  吸込空気、１５  加湿後空気、１６  入力インターフェース、１７  出力インターフェース、１８  マイコン、１９  記憶部、２０  制御部、２１  乾燥状態判断部、２２  タイマー部、２３  温調コイル、２４  加湿前空気、３０  本体ケーシング、３１  熱交換器、３２  給気送風機、３３  排気送風機、３４  給気温度センサ、３５  給気湿度センサ、３６  排気温度センサ、３７  排気湿度センサ、３８  温調コイル、３９  加湿エレメント、４０  給水配管、４１  給水弁、４２  ダンパ、４３  制御装置、４４  操作端末、４５  給気吸込口、４６  給気吹出口、４７  排気吸込口、４８  排気吹出口、４９  給水配管接続口、５０  給気風路、５１  排気風路、５２  バイパス風路、５３  給気吸込空気、５４  給気熱交換空気、５５  給気加湿前空気、５６  給気加湿後空気、５７  排気吸込空気、５８  排気熱交換空気、５９  排気吹出空気、６０  排気バイパス通過空気、６１  入力インターフェース、６２  出力インターフェース、６３  マイコン、６４  記憶部、６５  制御部、６６  乾燥状態判断部、６７  タイマー部、１００  加湿装置、１０１  加湿装置、２００  換気装置
【図１】
2020115810.tif 000010
【図２】
2020115810.tif 000011
【図３】
2020115810.tif 000012
【図４】
2020115810.tif 000013
【図５】
2020115810.tif 000014
【図６】
2020115810.tif 000015
【図７】
2020115810.tif 000016
【図８】
2020115810.tif 000017
【図９】
2020115810.tif 000018
【図１０】
2020115810.tif 000019
【図１１】
2020115810.tif 000020
【図１２】
2020115810.tif 000021
【図１３】
2020115810.tif 000022
【図１４】
2020115810.tif 000023
【図１５】
2020115810.tif 000024
【図１６】
2020115810.tif 000025
【図１７】
2020115810.tif 000026
【図１８】
2020115810.tif 000027
【図１９】
2020115810.tif 000028
【図２０】
2020115810.tif 000029
【図２１】
2020115810.tif 000030
【手続補正書】
【提出日】令和2年11月9日(2020.11.9)
【手続補正１】
【補正対象書類名】特許請求の範囲
【補正対象項目名】全文
【補正方法】変更
【補正の内容】
【特許請求の範囲】
【請求項１】
吸込口及び吹出口が形成され、内部に前記吸込口と前記吹出口とが連通する風路が形成された本体ケーシングと、
前記本体ケーシングの前記風路に設けられ、通過する空気を加湿する加湿エレメントと、
前記加湿エレメントに給水する給水手段と、
前記風路内の空気を前記吸込口から前記吹出口へ送風する送風機と、
前記給水手段の給水流量と前記送風機の風量とを制御する制御部と、
前記風路を通過する空気の温度に関する情報と前記風路を通過する空気の湿度に関する情報を受信する入力インターフェースと、
前記入力インターフェースを介して取得した前記温度並びに前記湿度と前記送風機の風量と前記給水手段の給水流量とに基づき前記加湿エレメントが前記加湿エレメントにスケールが析出する過乾燥状態であるか否かを判断する乾燥状態判断部と、を備え、
前記乾燥状態判断部は前記加湿エレメントが前記過乾燥状態であると判断すると、前記制御部は前記加湿エレメントの前記過乾燥状態を抑制し前記加湿エレメントにスケールが析出することを抑制する過乾燥抑制運転を行うよう制御する加湿装置。
【請求項２】
前記過乾燥抑制運転において、前記制御部は前記過乾燥抑制運転を行う直前よりも前記給水手段の給水流量を増加させる制御を行う請求項１に記載の加湿装置。
【請求項３】
前記過乾燥抑制運転において、前記制御部は前記過乾燥抑制運転を行う直前よりも前記送風機の風量を減少させる制御を行う請求項１又は２に記載の加湿装置。
【請求項４】
前記加湿エレメントに送風される空気を加熱する温調コイルを備え、
前記制御部は、前記温調コイルの加熱量を制御し、
前記過乾燥抑制運転において、前記制御部は前記過乾燥抑制運転を行う直前よりも前記温調コイルの加熱量を減少させる請求項１から３のいずれか一つに記載の加湿装置。
【請求項５】
給気吸込口と給気吹出口と排気吸込口と排気吹出口とが形成され、内部に前記給気吸込口と前記給気吹出口とが連通する給気風路と前記排気吸込口と前記排気吹出口とが連通する排気風路とが形成された本体ケーシングと、
前記給気風路に設けられ、前記給気吸込口から前記給気吹出口へ空気を送風する給気送風機と、
前記排気風路に設けられ、前記排気吸込口から前記排気吹出口へ空気を送風する排気送風機と、
前記給気風路と前記排気風路に設けられ、前記給気風路を流れる空気と前記排気風路を流れる空気との間で熱交換を行う熱交換器と、
前記給気風路において前記熱交換器よりも前記給気吹出口側に設けられ、通過する空気を加湿する加湿エレメントと、
前記加湿エレメントに給水する給水手段と、
前記給水手段の給水流量と前記給気送風機の風量とを制御する制御部と、
前記給気風路を通過する空気の温度に関する情報と前記給気風路を通過する空気の湿度に関する情報とを受信する入力インターフェースと、
前記入力インターフェースを介して取得した前記温度並びに前記湿度と前記給気送風機の風量と前記給水手段の給水流量とに基づき前記加湿エレメントが前記加湿エレメントにスケールが析出する過乾燥状態であるか否かを判断する乾燥状態判断部と、を備え、
前記乾燥状態判断部は前記加湿エレメントが前記過乾燥状態であると判断すると、前記制御部は前記加湿エレメントの前記過乾燥状態を抑制し前記加湿エレメントにスケールが析出することを抑制する過乾燥抑制運転を行うよう制御する換気装置。
【請求項６】
前記排気風路に形成され、前記排気風路を流れる空気が前記熱交換器を迂回して流れるよう形成されたバイパス風路と、
前記排気風路内に設けられ、前記バイパス風路を開放する位置と前記バイパス風路を閉塞する位置に移動可能なダンパと、を備え、
前記制御部はダンパの位置を制御し、前記過乾燥抑制運転において、前記制御部は前記バイパス風路を閉塞する位置にダンパを移動させるよう制御を行う請求項５に記載の換気装置。
【請求項７】
前記過乾燥抑制運転において、前記制御部は前記過乾燥抑制運転を行う直前よりも前記排気送風機の風量を増加させる制御を行う請求項５又は６に記載の換気装置。
【請求項８】
前記過乾燥抑制運転において、前記制御部は前記過乾燥抑制運転を行う直前よりも前記給気送風機の風量を減少させる制御を行う請求項５から７のいずれか一つに記載の換気装置。
【請求項９】
前記過乾燥抑制運転において、前記制御部は前記過乾燥抑制運転を行う直前よりも前記給水手段の給水流量を増加させる制御を行う請求項５から８のいずれか一つに記載の換気装置。
【請求項１０】
前記熱交換器よりも前記給気吹出口側の前記給気風路の内部に配置され、前記加湿エレメントに送風される空気を加熱する温調コイルを備え、
前記制御部は、前記温調コイルの加熱量を制御し、
前記過乾燥抑制運転において、前記制御部は前記過乾燥抑制運転を行う直前よりも前記温調コイルの加熱量を減少させる請求項５から９のいずれか一つに記載の換気装置。
【請求項１１】
前記温調コイルよりも前記給気吹出口側であり前記加湿エレメントよりも前記給気吸込口側の前記給気風路の内部に配置され、前記入力インターフェースと通信可能に接続された給気温度センサ及び給気湿度センサを備え、
前記乾燥状態判断部は前記給気温度センサが取得した温度並びに前記給気湿度センサが取得した湿度と前記給気送風機の風量と前記給水手段の給水流量に基づき前記加湿エレメントが前記過乾燥状態であるか否かを判断する請求項１０に記載の換気装置。
【請求項１２】
前記熱交換器よりも前記給気吸込口側の前記給気風路の内部に配置され、前記入力インターフェースと通信可能に接続された給気温度センサ及び給気湿度センサと、
前記熱交換器よりも前記排気吸込口側の前記排気風路の内部に配置され、前記入力インターフェースと通信可能に接続された排気温度センサ及び排気湿度センサと、を備え、
前記前記乾燥状態判断部は前記給気温度センサが取得した温度と前記給気湿度センサが取得した湿度と排気温度センサが取得した温度と前記排気湿度センサが取得した温度と前記前記給気送風機の風量と前記給水手段の給水流量とに基づき前記加湿エレメントが前記過乾燥状態であるか否かを判断する請求項５から１０のいずれか一つに記載の換気装置。
【手続補正２】
【補正対象書類名】明細書
【補正対象項目名】０００７
【補正方法】変更
【補正の内容】
【０００７】
第一の発明に係る加湿装置は、吸込口及び吹出口が形成され、内部に吸込口と吹出口とが連通する風路が形成された本体ケーシングと、本体ケーシングの風路に設けられ、通過する空気を加湿する加湿エレメントと、加湿エレメントに給水する給水手段と、風路内の空気を吸込口から吹出口へ送風する送風機と、給水手段の給水流量と送風機の風量とを制御する制御部と、風路を通過する空気の温度に関する情報と、風路を通過する空気の湿度に関する情報とを受信する入力インターフェースと、入力インターフェースを介して取得した温度並びに湿度と送風機の風量と給水手段の給水流量とに基づき加湿エレメントが加湿エレメントにスケールが析出する過乾燥状態であるか否かを判断する乾燥状態判断部と、を備え、乾燥状態判断部は加湿エレメントが過乾燥状態であると判断すると、制御部は加湿エレメントの過乾燥状態を抑制し加湿エレメントにスケールが析出することを抑制する過乾燥抑制運転を行うよう制御する。
【手続補正３】
【補正対象書類名】明細書
【補正対象項目名】０００８
【補正方法】変更
【補正の内容】
【０００８】
第二の発明に係る換気装置は、給気吸込口と給気吹出口と排気吸込口と排気吹出口とが形成され、内部に給気吸込口と給気吹出口とが連通する給気風路と排気吸込口と排気吹出口とが連通する排気風路とが形成された本体ケーシングと、給気風路に設けられ、給気吸込口から給気吹出口へ空気を送風する給気送風機と、排気風路に設けられ、排気吸込口から排気吹出口へ空気を送風する排気送風機と、給気風路と排気風路に設けられ、給気風路を流れる空気と排気風路を流れる空気との間で熱交換を行う熱交換器と、給気風路において熱交換器よりも給気吹出口側に設けられ、通過する空気を加湿する加湿エレメントと、加湿エレメントに給水する給水手段と、給水手段の給水流量と給気送風機の風量とを制御する制御部と、給気風路を通過する空気の温度に関する情報と給気風路を通過する空気の湿度に関する情報とを受信する入力インターフェースと、入力インターフェースを介して取得した温度並びに湿度と給気送風機の風量と給水手段の給水流量とに基づき加湿エレメントが加湿エレメントにスケールが析出する過乾燥状態であるか否かを判断する乾燥状態判断部と、を備え、乾燥状態判断部が加湿エレメントは過乾燥状態であると判断すると、制御部は加湿エレメントの過乾燥状態を抑制し加湿エレメントにスケールが析出することを抑制する過乾燥抑制運転を行うよう制御する。
【手続補正４】
【補正対象書類名】明細書
【補正対象項目名】０００９
【補正方法】変更
【補正の内容】
【０００９】
第一の発明に係る加湿装置と第二の発明に係る換気装置はいずれも乾燥状態判断部は加湿エレメントが過乾燥状態であると判断すると、制御部は加湿エレメントの過乾燥状態を抑制し加湿エレメントにスケールが析出することを抑制する過乾燥抑制運転を行うよう制御する構成を備えている。当該構成によって加湿エレメントが過乾燥状態になることを抑制し、加湿エレメントにスケールが析出されることを抑制する効果を奏する。
【国際調査報告】
2020115810.tif 000031
2020115810.tif 000032
2020115810.tif 000033
2020115810.tif 000034
2020115810.tif 000035